(57)【要約】  本開示の課題は、光源部に過電流が流れることを抑制することである。点灯装置（１）は、電力変換部（３）と、バイパススイッチ（Ｑ１）と、スイッチ制御部（４２）と、電力制御部（４１）とを備える。電力変換部（３）は、光源ユニット（１０）に電力を供給する。バイパススイッチ（Ｑ１）は、第２光源部（２２）に電気的に並列接続されている。電力制御部（４１）は、第２光源部（２２）の状態が接続状態から短絡状態に切り替えられる場合、スイッチ制御部（４２）がバイパススイッチ（Ｑ１）を制御して第２光源部（２２）を接続状態から短絡状態に切り替えた後に、出力電流（Ｉ１）の大きさを切り替える機能を有する。接続状態は、第２光源部（２２）が第１光源部（２１）に電気的に接続されている状態である。短絡状態は、第２光源部（２２）が電気的に短絡されている状態である。
2020175072.tif 000002
【特許請求の範囲】
【請求項１】
互いに電気的に直列接続された第１光源部及び第２光源部を含む光源ユニットに出力電流を出力して電力を供給する電力変換部と、
前記第２光源部に電気的に並列接続されたバイパススイッチと、
前記バイパススイッチを制御するスイッチ制御部と、
前記電力変換部を制御する電力制御部と、を備え、
前記電力変換部は、
前記バイパススイッチのオン／オフの状態に応じて前記出力電流の大きさを切り替えて前記光源ユニットに電力を供給し、
前記電力制御部は、
前記第２光源部の状態が、前記第２光源部が前記第１光源部に電気的に接続されており前記第２光源部に前記出力電流が流れる接続状態から、前記第２光源部が電気的に短絡されている短絡状態に切り替えられる場合、前記スイッチ制御部が前記バイパススイッチを制御して前記第２光源部を前記接続状態から前記短絡状態に切り替えた後に、前記出力電流の大きさを切り替える機能を有する、
点灯装置。
【請求項２】
前記電力制御部は、
前記第２光源部が前記短絡状態から前記接続状態に切り替えられる場合、前記スイッチ制御部が前記バイパススイッチを制御して前記第２光源部を前記短絡状態から前記接続状態に切り替える前に、前記出力電流の大きさを切り替える機能を更に有する、
請求項１に記載の点灯装置。
【請求項３】
前記接続状態では、前記バイパススイッチがオフ状態であり、
前記短絡状態では、前記バイパススイッチがオン状態である、
請求項２に記載の点灯装置。
【請求項４】
前記スイッチ制御部は、
前記第２光源部を前記接続状態から前記短絡状態に切り替える場合、前記バイパススイッチが前記オフ状態から前記オン状態になるように前記バイパススイッチを制御し、
前記電力制御部は、
前記第２光源部が前記接続状態から前記短絡状態に切り替えられる場合、前記スイッチ制御部が前記バイパススイッチを前記オフ状態から前記オン状態に切り替えた後に、前記出力電流の大きさを切り替える、
請求項３に記載の点灯装置。
【請求項５】
前記スイッチ制御部は、
前記第２光源部を前記短絡状態から前記接続状態に切り替える場合、前記バイパススイッチが前記オン状態から前記オフ状態になるように前記バイパススイッチを制御し、
前記電力制御部は、
前記第２光源部が前記短絡状態から前記接続状態に切り替えられる場合、前記スイッチ制御部が前記バイパススイッチを前記オン状態から前記オフ状態に切り替える前に、前記出力電流の大きさを切り替える、
請求項３又は４に記載の点灯装置。
【請求項６】
前記電力制御部は、
前記バイパススイッチの切替以前に前記出力電流の電流値を、前記短絡状態における前記出力電流の第１目標値及び前記接続状態における前記出力電流の第２目標値のうちのいずれか小さいほうの電流値とし、
前記バイパススイッチの切替以後に前記出力電流の電流値を、前記第１目標値及び前記第２目標値のうち、切替後の前記第２光源部の状態における前記出力電流の目標値とする、
請求項１〜３のいずれか１項に記載の点灯装置。
【請求項７】
前記電力制御部は、
前記バイパススイッチの切替以前に前記出力電流の電流値を、前記短絡状態における前記出力電流の第１目標値及び前記接続状態における前記出力電流の第２目標値の両方よりも小さい電流値とし、
前記バイパススイッチの切替以後に前記出力電流の電流値を、前記第１目標値及び前記第２目標値のうち、切替後の前記第２光源部の状態における前記出力電流の目標値とする、
請求項１〜３のいずれか１項に記載の点灯装置。
【請求項８】
前記第１光源部に電気的に並列接続された第１バイパススイッチを更に備え、
前記第１バイパススイッチは、前記第２光源部に電気的に並列接続された前記バイパススイッチである第２バイパススイッチとは別体であり、
前記スイッチ制御部は、前記第１バイパススイッチを制御し、
前記電力変換部は、
前記第１バイパススイッチのオン／オフの状態に応じて前記出力電流の大きさを切り替えて前記光源ユニットに電力を供給し、
前記電力制御部は、
前記第１光源部の状態が、前記第１光源部が前記第２光源部に電気的に接続されており前記第１光源部に前記出力電流が流れる第１状態から、前記第１光源部が電気的に短絡されている第２状態に切り替えられる場合、前記スイッチ制御部が前記第１バイパススイッチを制御して前記第１光源部を前記第１状態から前記第２状態に切り替えた後に、前記出力電流の大きさを切り替える機能を更に有する、
請求項１〜７のいずれか１項に記載の点灯装置。
【請求項９】
前記電力制御部は、
前記第１光源部が前記第２状態から前記第１状態に切り替えられる場合、前記スイッチ制御部が前記第１バイパススイッチを制御して前記第１光源部を前記第２状態から前記第１状態に切り替える前に、前記出力電流の大きさを切り替える機能を更に有する、
請求項８に記載の点灯装置。
【請求項１０】
前記光源ユニットは、前記第１光源部及び前記第２光源部に直列接続された第３光源部を更に含み、
前記第３光源部に電気的に並列接続された第３光源部用バイパススイッチを更に備え、
前記スイッチ制御部は、前記第３光源部用バイパススイッチを制御し、
前記電力変換部は、
前記第３光源部用バイパススイッチのオン／オフの状態に応じて前記出力電流の大きさを切り替えて前記光源ユニットに電力を供給し、
前記電力制御部は、
前記第３光源部の状態が、前記第３光源部が前記第１光源部及び前記第２光源部の少なくとも一方に電気的に接続されており前記第３光源部に前記出力電流が流れる接続状態から、前記第３光源部が電気的に短絡されている短絡状態に切り替えられる場合、前記スイッチ制御部が前記第３光源部用バイパススイッチを制御して前記第３光源部を前記第３光源部の前記接続状態から前記第３光源部の前記短絡状態に切り替えた後に、前記出力電流の大きさを切り替える機能を更に有する、
請求項１〜９のいずれか１項に記載の点灯装置。
【請求項１１】
前記電力制御部は、
前記第３光源部が前記第３光源部の前記短絡状態から前記第３光源部の前記接続状態に切り替えられる場合、前記スイッチ制御部が前記第３光源部用バイパススイッチを制御して前記第３光源部を前記第３光源部の前記短絡状態から前記第３光源部の前記接続状態に切り替える前に、前記出力電流の大きさを切り替える機能を更に有する、
請求項１０に記載の点灯装置。
【請求項１２】
請求項１〜１１のいずれか１項に記載の点灯装置と、
前記第１光源部と、
前記第２光源部と、
前記第１光源部及び前記第２光源部を収納するハウジングと、を備える、
灯具。
【請求項１３】
請求項１２に記載の灯具と、
前記灯具を搭載する車体と、を備える、
車両。
【請求項１４】
互いに電気的に直列接続された第１光源部及び第２光源部を含む光源ユニットに出力電流を出力して電力を供給する電力変換部と、前記第２光源部に電気的に並列接続されたバイパススイッチと、を制御する制御方法であって、
前記第２光源部の状態が、前記第２光源部が前記第１光源部に電気的に接続されており前記第２光源部に前記出力電流が流れる接続状態から、前記第２光源部が電気的に短絡されている短絡状態に切り替えられる場合、前記バイパススイッチを制御して前記第２光源部を前記接続状態から前記短絡状態に切り替えた後に、前記出力電流の大きさを切り替えるステップと、
前記第２光源部が前記短絡状態から前記接続状態に切り替えられる場合、前記バイパススイッチを制御して前記第２光源部を前記短絡状態から前記接続状態に切り替える前に、前記出力電流の大きさを切り替えるステップと、を有する、
制御方法。
【請求項１５】
前記光源ユニットは、前記第１光源部及び前記第２光源部に直列接続された第３光源部を更に含み、
前記第３光源部の状態が、前記第３光源部が前記第１光源部及び前記第２光源部の少なくとも一方に電気的に接続されており前記第３光源部に前記出力電流が流れる接続状態から、前記第３光源部が電気的に短絡されている短絡状態に切り替えられる場合、前記第３光源部に電気的に並列接続された第３光源部用バイパススイッチを制御して前記第３光源部を前記第３光源部の前記接続状態から前記第３光源部の前記短絡状態に切り替えた後に、前記出力電流の大きさを切り替えるステップと、
前記第３光源部が前記第３光源部の前記短絡状態から前記第３光源部の前記接続状態に切り替えられる場合、前記第３光源部用バイパススイッチを制御して前記第３光源部を前記第３光源部の前記短絡状態から前記第３光源部の前記接続状態に切り替える前に、前記出力電流の大きさを切り替えるステップと、を更に有する、
請求項１４に記載の制御方法。
【請求項１６】
互いに電気的に直列接続された第１光源部及び第２光源部を含む光源ユニットに出力電流を出力して電力を供給する電力変換部と、前記第２光源部に電気的に並列接続されたバイパススイッチと、を制御する制御装置であって、
前記バイパススイッチを制御するスイッチ制御部と、
前記電力変換部を制御する電力制御部と、を備え、
前記電力制御部は、
前記第２光源部の状態が、前記第２光源部が前記第１光源部に電気的に接続されており前記第２光源部に前記出力電流が流れる接続状態から、前記第２光源部が電気的に短絡されている短絡状態に切り替えられる場合、前記スイッチ制御部が前記バイパススイッチを制御して前記第２光源部を前記接続状態から前記短絡状態に切り替えた後に、前記出力電流の大きさを切り替える機能と、
前記第２光源部が前記短絡状態から前記接続状態に切り替えられる場合、前記スイッチ制御部が前記バイパススイッチを制御して前記第２光源部を前記短絡状態から前記接続状態に切り替える前に、前記出力電流の大きさを切り替える機能と、を有する、
制御装置。
【請求項１７】
前記光源ユニットは、前記第１光源部及び前記第２光源部に直列接続された第３光源部を更に含み、
前記スイッチ制御部は、前記第３光源部に電気的に並列接続された第３光源部用バイパススイッチを制御し、
前記電力制御部は、
前記第３光源部の状態が、前記第３光源部が前記第１光源部及び前記第２光源部の少なくとも一方に電気的に接続されており前記第３光源部に前記出力電流が流れる接続状態から、前記第３光源部が電気的に短絡されている短絡状態に切り替えられる場合、前記スイッチ制御部が前記第３光源部用バイパススイッチを制御して前記第３光源部を前記第３光源部の前記接続状態から前記第３光源部の前記短絡状態に切り替えた後に、前記出力電流の大きさを切り替える機能と、
前記第３光源部が前記第３光源部の前記短絡状態から前記第３光源部の前記接続状態に切り替えられる場合、前記スイッチ制御部が前記第３光源部用バイパススイッチを制御して前記第３光源部を前記第３光源部の前記短絡状態から前記第３光源部の前記接続状態に切り替える前に、前記出力電流の大きさを切り替える機能と、を更に有する、
請求項１６に記載の制御装置。
【発明の詳細な説明】
【技術分野】
【０００１】
本開示は、一般に点灯装置、灯具、車両、制御方法、及び制御装置に関する。本開示は、より詳細には、複数の光源部を点灯させる点灯装置、点灯装置を備える灯具、灯具を備える車両、複数の光源部の点灯を制御する制御方法、及び、複数の光源部の点灯を制御する制御装置に関する。
【背景技術】
【０００２】
従来、直列に接続されたロービーム用ライトとハイビーム用ライトとを点灯させる点灯回路が開示されている（例えば、特許文献１参照）。【０００３】
特許文献１の点灯回路（点灯装置）は、複数の光源ブロック（光源部）を電源に直列接続している。そして、特許文献１の点灯回路は、複数の光源ブロックの一部を短絡すると同時に、残余の光源ブロックの数に応じて電源からの供給電力を調整する。【０００４】
ところで、近年、複数の光源部のうち短絡されていない光源部の組合せに応じて、短絡されていない光源部への出力電流の電流値を切り替える機能が要求されている。例えば、複数の光源部の全てが接続されている状態（複数の光源部の全てが短絡されていない状態）と、複数の光源部のうちの少なくとも１つが短絡されている状態とで、出力電流の電流値を切り替えることが要求されている。一例として、複数の光源部のうちの少なくとも１つが短絡されている状態において、複数の光源部の全てが接続されている状態よりも、出力電流の電流値を大きくすることが要求されている。【０００５】
ところが、特許文献１に記載された従来の点灯装置では、複数の光源部のうちの少なくとも１つの光源部の状態が接続状態から短絡状態に切り替えられる際に、接続状態から短絡状態に切り替わった光源部に過電流が流れるおそれがあった。接続状態は、上記光源部が他の光源部に電気的に接続されており上記光源部に出力電流が流れる状態である。短絡状態は、上記光源部が電気的に短絡されている状態である。【０００６】
より詳細には、特許文献１に記載された従来の点灯装置では、上記光源部の状態を接続状態から短絡状態に切り替えるタイミングと点灯装置から出力される出力電流を変えるタイミングとがずれる場合があった。この場合、上記光源部の状態を接続状態から短絡状態に切り替える際に、上記光源部に対して許容されている電流値よりも大きな過電流が上記光源部に流れる可能性があるという問題があった。例えば、上記光源部の状態を接続状態から短絡状態に切り替えるタイミングよりも前に、点灯装置から出力される出力電流の電流値を、上記光源部に対して許容されている電流値よりも大きくした場合、上記光源部に対して許容されている電流値よりも大きな過電流が上記光源部に流れる。
【先行技術文献】
【特許文献】
【０００７】
【特許文献１】特開２００８−１２６９５８号公報
【発明の概要】
【０００８】
本開示は上記の点に鑑みてなされた開示であり、本開示の目的は、光源部に過電流が流れることを抑制できる点灯装置、灯具、車両、制御方法、及び制御装置を提供することにある。
【０００９】
本開示の一態様に係る点灯装置は、電力変換部と、バイパススイッチと、スイッチ制御部と、電力制御部とを備える。前記電力変換部は、互いに電気的に直列接続された第１光源部及び第２光源部を含む光源ユニットに出力電流を出力して電力を供給する。前記バイパススイッチは、前記第２光源部に電気的に並列接続されている。前記スイッチ制御部は、前記バイパススイッチを制御する。前記電力制御部は、前記電力変換部を制御する。前記電力変換部は、前記バイパススイッチのオン／オフの状態に応じて前記出力電流の大きさを切り替えて前記光源ユニットに電力を供給する。前記電力制御部は、前記第２光源部の状態が接続状態から短絡状態に切り替えられる場合、前記スイッチ制御部が前記バイパススイッチを制御して前記第２光源部を前記接続状態から前記短絡状態に切り替えた後に、前記出力電流の大きさを切り替える機能を有する。前記接続状態は、前記第２光源部が前記第１光源部に電気的に接続されており前記第２光源部に前記出力電流が流れる状態である。前記短絡状態は、前記第２光源部が電気的に短絡されている状態である。
【００１０】
本開示の一態様に係る灯具は、前記点灯装置と、前記第１光源部と、前記第２光源部と、ハウジングとを備える。前記ハウジングは、前記第１光源部及び前記第２光源部を収納する。
【００１１】
本開示の一態様に係る車両は、前記灯具と、車体とを備える。前記車体は、前記灯具を搭載する。
【００１２】
本開示の一態様に係る制御方法は、電力変換部と、バイパススイッチとを制御する制御方法である。前記電力変換部は、互いに電気的に直列接続された第１光源部及び第２光源部を含む光源ユニットに出力電流を出力して電力を供給する。前記バイパススイッチは、前記第２光源部に電気的に並列接続されている。前記制御方法は、前記第２光源部の状態が接続状態から短絡状態に切り替えられる場合、前記バイパススイッチを制御して前記第２光源部を前記接続状態から前記短絡状態に切り替えた後に、前記出力電流の大きさを切り替えるステップを有する。前記接続状態は、前記第２光源部が前記第１光源部に電気的に接続されており前記第２光源部に前記出力電流が流れる状態である。前記短絡状態は、前記第２光源部が電気的に短絡されている状態である。前記制御方法は、前記第２光源部が前記短絡状態から前記接続状態に切り替えられる場合、前記バイパススイッチを制御して前記第２光源部を前記短絡状態から前記接続状態に切り替える前に、前記出力電流の大きさを切り替えるステップを有する。
【００１３】
本開示の一態様に係る制御装置は、電力変換部と、バイパススイッチとを制御する制御装置である。前記電力変換部は、互いに電気的に直列接続された第１光源部及び第２光源部を含む光源ユニットに出力電流を出力して電力を供給する。前記バイパススイッチは、前記第２光源部に電気的に並列接続されている。前記制御装置は、スイッチ制御部と、電力制御部とを備える。前記スイッチ制御部は、前記バイパススイッチを制御する。前記電力制御部は、前記電力変換部を制御する。前記電力制御部は、前記第２光源部の状態が接続状態から短絡状態に切り替えられる場合、前記スイッチ制御部が前記バイパススイッチを制御して前記第２光源部を前記接続状態から前記短絡状態に切り替えた後に、前記出力電流の大きさを切り替える機能を有する。前記接続状態は、前記第２光源部が前記第１光源部に電気的に接続されており前記第２光源部に前記出力電流が流れる状態である。前記短絡状態は、前記第２光源部が電気的に短絡されている状態である。前記制御装置は、前記第２光源部が前記短絡状態から前記接続状態に切り替えられる場合、前記スイッチ制御部が前記バイパススイッチを制御して前記第２光源部を前記短絡状態から前記接続状態に切り替える前に、前記出力電流の大きさを切り替える機能を有する。
【図面の簡単な説明】
【００１４】
【図１】図１は、実施形態１に係る点灯装置のブロック図である。
【図２】図２は、同上の点灯装置を備える灯具の概略構成図である。
【図３】図３は、同上の点灯装置が搭載される車両の概略構成図である。
【図４】図４は、同上の点灯装置の動作を示すフローチャートである。
【図５】図５は、同上の点灯装置の動作を示すフローチャートである。
【図６】図６は、同上の点灯装置の動作説明図である。
【図７】図７は、同上の点灯装置の動作説明図である。
【図８】図８は、同上の点灯装置の動作説明図である。
【図９】図９は、同上の点灯装置の動作説明図である。
【図１０】図１０は、実施形態２に係る点灯装置の動作を示すフローチャートである。
【図１１】図１１は、同上の点灯装置の動作説明図である。
【図１２】図１２は、同上の点灯装置の動作説明図である。
【図１３】図１３は、同上の点灯装置の動作説明図である。
【図１４】図１４は、同上の点灯装置の動作説明図である。
【図１５】図１５は、実施形態３に係る点灯装置の動作を示すフローチャートである。
【図１６】図１６は、同上の点灯装置の動作説明図である。
【図１７】図１７は、同上の点灯装置の動作説明図である。
【図１８】図１８は、同上の点灯装置の動作説明図である。
【図１９】図１９は、同上の点灯装置の動作説明図である。
【図２０】図２０は、実施形態４に係る点灯装置のブロック図である。
【図２１】図２１は、実施形態５に係る点灯装置のブロック図である。
【図２２】図２２は、同上の点灯装置の動作説明図である。
【図２３】図２３は、実施形態１の変形例に係る点灯装置の動作説明図である。
【図２４】図２４は、実施形態１の他の変形例に係る点灯装置のブロック図である。
【図２５】図２５は、同上の点灯装置の動作説明図である。
【発明を実施するための形態】
【００１５】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１６】
（実施形態１）
（１）構成
本実施形態の点灯装置１について、図１〜図３を参照して説明する。
【００１７】
本実施形態の点灯装置１は、自動車などの車両２００（図３参照）に搭載される前照灯装置である灯具１００（図２参照）に用いられる。図１〜図３に示すように、点灯装置１は、複数の光源部２として第１光源部２１及び第２光源部２２を点灯させる。第１光源部２１は、すれ違い用（ロービーム用）前照灯として用いられ、第２光源部２２は、走行用（ハイビーム用）前照灯として用いられる。第１光源部２１は、直列接続された複数のＬＥＤ（Light Emitting Diode）で構成されている。第２光源部２２は、直列接続された複数のＬＥＤで構成されている。なお、第１光源部２１は、２以上の直列回路が並列接続された構成であってもよい。第１光源部２１における各直列回路は、直列接続された複数のＬＥＤで構成されている。第２光源部２２は、複数のＬＥＤの直列回路が並列接続された構成であってもよい。第２光源部２２における各直列回路は、直列接続された複数のＬＥＤで構成されている。第１光源部２１が有するＬＥＤの個数と、第２光源部２２が有するＬＥＤの個数とは、互いに異なっていてもよいし、互いに同じであってもよい。
【００１８】
図１に示すように、点灯装置１は、第１入力端子Ｐ１１及び第２入力端子Ｐ１２と、第１出力端子Ｐ２１〜第３出力端子Ｐ２３と、を備えている。ここでいう「端子」とは、電線等を接続するための部品（端子）でなくてもよく、例えば電子部品のリード、又は、回路基板に含まれる導体の一部であってもよい。
【００１９】
第１入力端子Ｐ１１及び第２入力端子Ｐ１２は、直流電源Ｅ１の両端と電気的に接続されている。具体的には、第１入力端子Ｐ１１は、直流電源Ｅ１の正極と電気的に接続され、第２入力端子Ｐ１２は、直流電源Ｅ１の負極と電気的に接続されている。直流電源Ｅ１は、車両２００（図３参照）に搭載されたバッテリである。
【００２０】
第１出力端子Ｐ２１〜第３出力端子Ｐ２３は、第１光源部２１及び第２光源部２２と電気的に接続されている。具体的には、第１出力端子Ｐ２１と第２出力端子Ｐ２２との間に、第１光源部２１と第２光源部２２との直列回路が電気的に接続されている。第３出力端子Ｐ２３は、第１光源部２１と第２光源部２２との接続点と電気的に接続されている。つまり、第１出力端子Ｐ２１と第３出力端子Ｐ２３との間に、第１光源部２１が電気的に接続されており、第３出力端子Ｐ２３と第２出力端子Ｐ２２との間に第２光源部２２が電気的に接続されている。
【００２１】
点灯装置１は、電力変換部３と、バイパススイッチＱ１と、制御部４（制御装置）と、平滑コンデンサＣ１と、を備えている。点灯装置１は、複数のコンデンサＣ２として、第１コンデンサＣ２１及び第２コンデンサＣ２２を更に備えている。
【００２２】
電力変換部３は、バイパススイッチＱ１のオン／オフの状態に応じて出力電流Ｉ１を切り替えて第１光源部２１及び第２光源部２２に電力を供給する。より詳細には、電力変換部３は、第１入力端子Ｐ１１及び第２入力端子Ｐ１２を介して直流電源Ｅ１と電気的に接続されている。電力変換部３は、直流電源Ｅ１から供給される直流電力を直流変換するＤＣ／ＤＣコンバータである。電力変換部３は、第１光源部２１及び第２光源部２２に直流電力を供給することにより、第１光源部２１及び第２光源部２２を点灯させる。電力変換部３は、昇圧コンバータ回路３１と降圧コンバータ回路３２と、を備えている。
【００２３】
昇圧コンバータ回路３１は、例えばインダクタ、スイッチング素子、ダイオード等を有する昇圧チョッパ回路である。昇圧コンバータ回路３１は、第１入力端子Ｐ１１及び第２入力端子Ｐ１２を介して直流電源Ｅ１と電気的に接続されている。昇圧コンバータ回路３１は、スイッチング素子がオン／オフされることにより、直流電源Ｅ１の出力電圧（例えば１２Ｖ）を所定電圧（例えば６０Ｖ）に昇圧して降圧コンバータ回路３２に出力する。昇圧コンバータ回路３１のスイッチング素子は、後述する電力制御部４１によって制御される。
【００２４】
降圧コンバータ回路３２は、例えば、インダクタ、スイッチング素子、ダイオードを有する降圧チョッパ回路である。降圧コンバータ回路３２は、スイッチング素子がオン／オフされることにより、昇圧コンバータの出力電圧を降圧する。降圧コンバータ回路３２の一対の出力端Ｐ３１，Ｐ３２は、それぞれ第１出力端子Ｐ２１及び第２出力端子Ｐ２２と電気的に接続されている。降圧コンバータ回路３２のスイッチング素子は、後述する電力制御部４１によって制御される。
【００２５】
平滑コンデンサＣ１は、降圧コンバータ回路３２の一対の出力端Ｐ３１，Ｐ３２間に電気的に接続されている。言い換えれば、平滑コンデンサＣ１は、第１出力端子Ｐ２１と第２出力端子Ｐ２２との間に電気的に接続されている。平滑コンデンサＣ１は、電力変換部３（降圧コンバータ回路３２）の出力電流Ｉ１のリップルを抑制することができる。これにより、点灯装置１と複数の光源部２とを電気的に接続するケーブル等から放射される輻射ノイズを抑制することができる。
【００２６】
バイパススイッチＱ１は、エンハンスメント型のｎチャネルＭＯＳＦＥＴ（Metal Oxide Semiconductor Field Effect Transistor）で構成されている。バイパススイッチＱ１は、第２出力端子Ｐ２２と第３出力端子Ｐ２３との間に電気的に接続されている。具体的には、バイパススイッチＱ１は、ドレインが第３出力端子Ｐ２３と電気的に接続され、ソースが第２出力端子Ｐ２２と電気的に接続されている。また、バイパススイッチＱ１は、ゲートが制御部４と電気的に接続されており、後述するスイッチ制御部４２によって制御される。
【００２７】
つまり、バイパススイッチＱ１は、第２光源部２２と電気的に並列接続されている。バイパススイッチＱ１がオン状態である場合、第２光源部２２が短絡される。この場合、電力変換部３の出力電流Ｉ１は、バイパススイッチＱ１にバイパスされて、第２光源部２２には流れない。つまり、バイパススイッチＱ１がオン状態である場合、第２光源部２２が消灯状態となり、第１光源部２１のみが点灯状態となる。また、バイパススイッチＱ１がオフ状態である場合、電力変換部３の出力電流Ｉ１が第２光源部２２に流れるので、第１光源部２１及び第２光源部２２の両方が点灯状態となる。
【００２８】
第１コンデンサＣ２１は、第１出力端子Ｐ２１と第３出力端子Ｐ２３との間に電気的に接続されている。つまり、第１コンデンサＣ２１は、第１光源部２１と電気的に並列接続されている。
【００２９】
第２コンデンサＣ２２は、第２出力端子Ｐ２２と第３出力端子Ｐ２３との間に電気的に接続されている。つまり、第２コンデンサＣ２２は、第２光源部２２と電気的に並列接続されている。
【００３０】
第１コンデンサＣ２１と第２コンデンサＣ２２との直列回路は、電力変換部３（降圧コンバータ回路３２）の出力端Ｐ３１，Ｐ３２間に電気的に接続されている。したがって、第１コンデンサＣ２１と第２コンデンサＣ２２との合成容量によって、電力変換部３（降圧コンバータ回路３２）の出力電流Ｉ１のリップルを抑制することができる。これにより、点灯装置１と複数の光源部２とを電気的に接続するケーブル等から放射される輻射ノイズを抑制することができる。
【００３１】
なお、第１コンデンサＣ２１の容量と第２コンデンサＣ２２の容量とは、互いに同じであってもよいし、互いに異なっていてもよい。また、平滑コンデンサＣ１の容量と第１コンデンサＣ２１の容量とは、互いに同じであってもよいし、互いに異なっていてもよい。平滑コンデンサＣ１の容量と第２コンデンサＣ２２の容量とは、互いに同じであってもよいし、互いに異なっていてもよい。つまり、第１コンデンサＣ２１と第２コンデンサＣ２２と平滑コンデンサＣ１とは、互いに同じ容量であってもよいし、互いに異なる容量であってもよい。
【００３２】
制御部４は、プロセッサ及びメモリを主構成とするコンピュータシステム（例えばマイクロコントローラ）である。制御部４は、メモリに格納されているプログラムをプロセッサで実行することにより、電力制御部４１、及びスイッチ制御部４２としての機能を実現する。プログラムは、メモリにあらかじめ記録されていてもよいし、インターネット等の電気通信回線を通して提供されてもよく、メモリカード等の記録媒体に記録されて提供されてもよい。
【００３３】
電力制御部４１は、電力変換部３を制御するように構成されている。具体的には、電力制御部４１は、昇圧コンバータ回路３１の出力電圧を監視しており、昇圧コンバータ回路３１の出力電圧が一定となるように、昇圧コンバータ回路３１のスイッチング素子を制御する。つまり、電力制御部４１は、昇圧コンバータ回路３１を定電圧制御する。
【００３４】
また、電力制御部４１は、降圧コンバータ回路３２の出力電流を監視しており、降圧コンバータ回路３２の出力電流が目標値となるように、降圧コンバータ回路３２のスイッチング素子を制御する。つまり、電力制御部４１は、電力変換部３の出力電流Ｉ１が目標値となるように定電流制御する。
【００３５】
電力制御部４１は、例えば、点灯スイッチＳＷ１（図２及び図３参照）の状態に基づいて、電力変換部３を制御することにより、第１光源部２１及び第２光源部２２の点灯／消灯を制御する。点灯スイッチＳＷ１は、車両２００（図３参照）の運転席に設けられており、運転手が、第１光源部２１及び第２光源部２２の点灯／消灯を指示するための操作スイッチである。電力制御部４１は、点灯スイッチＳＷ１がオン状態である場合、電力変換部３（昇圧コンバータ回路３１、降圧コンバータ回路３２）を動作させる。これにより、バイパススイッチＱ１がオフ状態であれば、第１光源部２１と第２光源部２２との両方が点灯し、バイパススイッチＱ１がオン状態であれば、第１光源部２１のみが点灯する。また、電力制御部４１は、点灯スイッチＳＷ１がオフ状態である場合、電力変換部３（昇圧コンバータ回路３１、降圧コンバータ回路３２）を停止させる。これにより、第１光源部２１及び第２光源部２２が消灯状態となる。
【００３６】
スイッチ制御部４２は、バイパススイッチＱ１に駆動信号を出力することにより、バイパススイッチＱ１を制御するように構成されている。スイッチ制御部４２は、例えば、切替スイッチＳＷ２（図２及び図３参照）の状態に基づいて、バイパススイッチＱ１をオン／オフする。切替スイッチＳＷ２は、車両２００（図３参照）の運転席に設けられており、運転手が、点灯スイッチＳＷ１のオン状態において第２光源部２２の点灯／消灯を指示するための操作スイッチである。スイッチ制御部４２は、切替スイッチＳＷ２がオフ状態である場合、バイパススイッチＱ１をオン状態にする。これにより、第２光源部２２が消灯状態となる。また、スイッチ制御部４２は、切替スイッチＳＷ２がオン状態である場合、バイパススイッチＱ１をオフ状態にする。これにより、第２光源部２２が点灯状態となる。なお、点灯装置１は、切替スイッチＳＷ２と直接的に接続されていなくてもよく、例えば車両２００に搭載されたＥＣＵ（Electronic Control Unit）等を介して間接的に接続されていてもよい。この場合、点灯装置１の制御部４は、ＥＣＵから切替スイッチＳＷ２の状態を示す情報を取得する。
【００３７】
上記のような点灯装置１において、電力制御部４１は、第２光源部２２の状態が接続状態から短絡状態に切り替えられる場合、スイッチ制御部４２がバイパススイッチＱ１を制御して第２光源部２２の状態を接続状態から短絡状態に切り替えた後に、出力電流Ｉ１の大きさを切り替える機能を有する。
【００３８】
電力制御部４１は、第２光源部２２の状態が短絡状態から接続状態に切り替えられる場合、スイッチ制御部４２がバイパススイッチＱ１を制御して第２光源部２２の状態を短絡状態から接続状態に切り替える前に、出力電流Ｉ１の大きさを切り替える機能を更に有する。
【００３９】
ここで、接続状態は、第２光源部２２が第１光源部２１に電気的に接続されており第２光源部２２に出力電流Ｉ１が流れる状態である。短絡状態は、第２光源部２２が電気的に短絡されている状態である。接続状態では、バイパススイッチＱ１がオフ状態である。短絡状態では、バイパススイッチＱ１がオン状態である。
【００４０】
スイッチ制御部４２は、第２光源部２２の状態が接続状態から短絡状態に切り替えられる場合、バイパススイッチＱ１がオフ状態からオン状態になるようにバイパススイッチＱ１を制御する。電力制御部４１は、スイッチ制御部４２がバイパススイッチＱ１をオフ状態からオン状態に切り替えた後に、出力電流Ｉ１の大きさを切り替える。
【００４１】
スイッチ制御部４２は、第２光源部２２の状態が短絡状態から接続状態に切り替えられる場合、バイパススイッチＱ１がオン状態からオフ状態になるようにバイパススイッチＱ１を制御する。電力制御部４１は、スイッチ制御部４２がバイパススイッチＱ１をオン状態からオフ状態に切り替える前に、出力電流Ｉ１の大きさを切り替える。
【００４２】
ここで、点灯装置１の負荷である光源ユニット１０について図１を参照して説明する。
【００４３】
光源ユニット１０は、図１に示すように、第１光源部２１と、第２光源部２２と、光源情報出力部１１とを備える。
【００４４】
光源情報出力部１１は、光源情報出力部１１に電力が供給されたときに第１光源部２１及び第２光源部２２の発光特性を示す光源情報を出力する。
【００４５】
光源情報出力部１１は、例えば抵抗器Ｒ１０を含む。第１光源部２１及び第２光源部２２は、その発光特性に応じて複数の段階に分かれており、複数の段階のそれぞれで光源情報出力部１１を構成する抵抗器Ｒ１０の抵抗値があらかじめ決められている。第１光源部２１及び第２光源部２２の両方を点灯させる場合と、第１光源部２１のみを点灯させる場合との組合せにおいて、抵抗器Ｒ１０の抵抗値があらかじめ決められている。例えば製造時などに発光特性が決定され、発光特性に応じた抵抗値の抵抗器Ｒ１０が光源情報出力部１１として光源ユニット１０に設けられている。
【００４６】
光源情報出力部１１に電流が出力されると、抵抗器Ｒ１０の両端間に抵抗器Ｒ１０の抵抗値に応じた電圧が発生し、この電圧値が第１光源部２１及び第２光源部２２の発光特性に対応した光源情報となる。ここにおいて、「光源情報」とは、第１光源部２１及び第２光源部２２の発光特性に対応した情報であり、光源情報をもとに第１光源部２１及び第２光源部２２の発光特性を特定することができる。第１光源部２１及び第２光源部２２の発光特性は、例えば第１光源部２１及び第２光源部２２の仕様（光源ユニット１０の仕様）を表す情報である。第１光源部２１の仕様は、第１光源部２１への入力電流、入力電圧及び入力電力の少なくとも１つに関する情報を含む。第２光源部２２の仕様は、第２光源部２２への入力電流、入力電圧及び入力電力の少なくとも１つに関する情報を含む。なお、上記の入力電流に関する情報には、第１光源部２１及び第２光源部２２の光源定格電流値の情報を含む。本実施形態では、第１光源部２１及び第２光源部２２の仕様は、第１光源部２１及び第２光源部２２の入力電流に関する情報として光源定格電流値の情報を含んでいる。
【００４７】
点灯装置１では、制御部４の電力制御部４１は、第１光源部２１及び第２光源部２２の光源定格電流値に応じて、昇圧コンバータ回路３１の出力電圧の目標電圧値を設定する。電力制御部４１は、昇圧コンバータ回路３１の出力電圧が目標電圧値となるように、昇圧コンバータ回路３１のスイッチング素子を制御する。つまり、電力制御部４１は、昇圧コンバータ回路３１の出力電圧が目標電圧値となるように、昇圧コンバータ回路３１を定電圧制御する。また、電力制御部４１は、第１光源部２１及び第２光源部２２の光源定格電流値に応じて、電力変換部３の出力電流Ｉ１の目標電流値を設定する。電力制御部４１は、降圧コンバータ回路３２の出力電流（電力変換部３の出力電流Ｉ１）が目標電流値になるように、降圧コンバータ回路３２のスイッチング素子を制御する。つまり、電力制御部４１は、降圧コンバータ回路３２の出力電流が目標電流値となるように、降圧コンバータ回路３２を定電流制御する。
【００４８】
上述した点灯装置１は、図２に示すように、車両２００（図３参照）に搭載される前照灯装置である灯具１００に用いられる。本実施形態の灯具１００は、点灯装置１と、第１光源部２１と、第２光源部２２と、ハウジング１０１と、を備える。
【００４９】
ハウジング１０１は、第１光源部２１及び第２光源部２２を収納する。灯具１００は、第１光源部２１又は第２光源部２２が取り付けられる複数（図２では５つ）の灯体１１０を備えている。第１光源部２１のＬＥＤ２１１が取り付けられる各灯体１１０には、レンズ１１１と、反射板１１２とが設けられている。また、第２光源部２２のＬＥＤ２２１が取り付けられる各灯体１１０には、レンズ１１１が設けられている。
【００５０】
本実施形態の車両２００は、図３に示すように、左右一対の灯具１００を車体２０１に搭載している。各灯具１００の点灯装置１は、車両２００の運転席に設けられた点灯スイッチＳＷ１及び切替スイッチＳＷ２と電気的に接続されている。点灯スイッチＳＷ１のみがオンすると、すれ違い用の前照灯（各灯具１００の第１光源部２１）が点灯する。点灯スイッチＳＷ１及び切替スイッチＳＷ２の両方がオンすると、走行用の前照灯（各灯具１００の第１光源部２１及び第２光源部２２）が点灯する。
【００５１】
（２）動作例
次に、実施形態１の点灯装置１の動作例（制御方法）について図４及び図５を参照して説明する。
【００５２】
まず、第１光源部２１及び第２光源部２２の両方を点灯させる接続状態から、第１光源部２１のみを点灯させる短絡状態に切り替える場合について図４を参照して説明する。つまり、バイパススイッチＱ１をオフ状態からオン状態に切り替える場合における点灯装置１の動作例について説明する。
【００５３】
第２光源部２２を消灯するために、運転手が、切替スイッチＳＷ２をオン状態からオフ状態に切り替える操作を行う。切替スイッチＳＷ２がオン状態からオフ状態に切り替わった場合、まず、スイッチ制御部４２が、バイパススイッチＱ１をオフ状態からオン状態に切り替える（ステップＳ１）。これにより、第２光源部２２が短絡する。その後、電力制御部４１が、出力電流Ｉ１の電流値を切り替える（ステップＳ２）。
【００５４】
次に、第１光源部２１のみを点灯させる短絡状態から、第１光源部２１及び第２光源部２２の両方を点灯させる接続状態に切り替える場合について図５を参照して説明する。つまり、バイパススイッチＱ１をオン状態からオフ状態に切り替える場合における点灯装置１の動作例について説明する。
【００５５】
第２光源部２２を点灯するために、運転手が、切替スイッチＳＷ２をオフ状態からオン状態に切り替える操作を行う。切替スイッチＳＷ２がオフ状態からオン状態に切り替わった場合、まず、電力制御部４１が、出力電流Ｉ１の電流値を切り替える（ステップＳ１１）。この段階では、第２光源部２２が短絡したままである。その後、スイッチ制御部４２が、バイパススイッチＱ１をオン状態からオフ状態に切り替える（ステップＳ１２）。
【００５６】
次に、短絡状態における出力電流Ｉ１の目標値（第１目標値Ｉ１１）が接続状態における出力電流Ｉ１の目標値（第２目標値Ｉ１２）よりも大きい場合について図６及び図７を参照して説明する。上記の場合とは、第１光源部２１及び第２光源部２２の両方が用いられるときの出力電流Ｉ１よりも、第１光源部２１のみが用いられるときの出力電流Ｉ１の方が大きい場合である。
【００５７】
最初に、第２光源部２２の状態が接続状態から短絡状態に切り替えられる際の動作について図６を参照して説明する。切替スイッチＳＷ２をオン状態からオフ状態に切り替える操作が行われると、図６に示すように、まず、スイッチ制御部４２が、バイパススイッチＱ１をオフ状態からオン状態に切り替える（時点ｔ１１）。このとき、出力電流Ｉ１が第２目標値Ｉ１２で一定のまま、出力電圧Ｖ１が第１光源部２１のみに印加されるため、出力電圧Ｖ１が低下する。その後、電力制御部４１が、電力変換部３を制御して出力電流Ｉ１の電流値を第２目標値Ｉ１２から第１目標値Ｉ１１に切り替える（時点ｔ１２）。
【００５８】
上記より、時点ｔ１１でバイパススイッチＱ１がオン状態になったことにより、時点ｔ１１以降では第２光源部２２には出力電流Ｉ１が流れなくなる。これにより、時点ｔ１１から時点ｔ１２までの期間Ｔ１１において、第２光源部２２に過電流（第２目標値Ｉ１２よりも大きい第１目標値Ｉ１１の出力電流Ｉ１）が流れることを抑制できる。一方、バイパススイッチＱ１がオン状態になる前に、出力電流Ｉ１が第１目標値Ｉ１１になると、本来流れることを想定していない第１目標値Ｉ１１の出力電流Ｉ１が過電流として第２光源部２２に流れる。なお、期間Ｔ１１は、一例として５００μｓであるが、この数値に限らない。
【００５９】
次に、第２光源部２２の状態が短絡状態から接続状態に切り替えられる際の動作について図７を参照して説明する。切替スイッチＳＷ２をオフ状態からオン状態に切り替える操作が行われると、図７に示すように、電力制御部４１が、電力変換部３を制御して出力電流Ｉ１の電流値を第１目標値Ｉ１１から第２目標値Ｉ１２に切り替える（時点ｔ１３）。その後、スイッチ制御部４２が、バイパススイッチＱ１をオン状態からオフ状態に切り替える（時点ｔ１４）。このとき、負荷が第１光源部２１と第２光源部２２との両方になるが、電力制御部４１の定電流制御により、出力電流Ｉ１の電流値を第２目標値Ｉ１２に保つ。
【００６０】
上記より、時点ｔ１３から時点ｔ１４までの期間Ｔ１２において、時点ｔ１４でバイパススイッチＱ１がオフ状態になったことにより、第２光源部２２に過電流（第２目標値Ｉ１２よりも大きい第１目標値Ｉ１１の出力電流Ｉ１）が流れることを抑制できる。なお、期間Ｔ１２は、一例として５００μｓであるが、この数値に限らない。
【００６１】
次に、短絡状態における出力電流Ｉ１の目標値（第１目標値Ｉ１１）が接続状態における出力電流Ｉ１の目標値（第２目標値Ｉ１２）よりも小さい場合について図８及び図９を参照して説明する。上記の場合とは、第１光源部２１及び第２光源部２２の両方が用いられるときの出力電流Ｉ１よりも、第１光源部２１のみが用いられるときの出力電流Ｉ１の方が小さい場合である。
【００６２】
最初に、第２光源部２２の状態が接続状態から短絡状態に切り替えられる際の動作について図８を参照して説明する。切替スイッチＳＷ２をオン状態からオフ状態に切り替える操作が行われると、図８に示すように、まず、スイッチ制御部４２が、バイパススイッチＱ１をオフ状態からオン状態に切り替える（時点ｔ１５）。このとき、出力電流Ｉ１が第２目標値Ｉ１２で一定のまま、出力電圧Ｖ１が第１光源部２１のみに印加されるため、出力電圧Ｖ１が低下する。その後、電力制御部４１が、電力変換部３を制御して出力電流Ｉ１の電流値を第２目標値Ｉ１２から第１目標値Ｉ１１に切り替える（時点ｔ１６）。
【００６３】
上記より、このような場合であっても、第２光源部２２の状態を接続状態から短絡状態に正常に切り替えることができる。第２光源部２２に過電流が流れない。なお、時点ｔ１５から時点ｔ１６までの期間Ｔ１３は、一例として５００μｓであるが、この数値に限らない。
【００６４】
次に、第２光源部２２の状態が短絡状態から接続状態に切り替えられる際の動作について図９を参照して説明する。切替スイッチＳＷ２をオフ状態からオン状態に切り替える操作が行われると、図９に示すように、電力制御部４１が、電力変換部３を制御して出力電流Ｉ１の電流値を第１目標値Ｉ１１から第２目標値Ｉ１２に切り替える（時点ｔ１７）。その後、スイッチ制御部４２が、バイパススイッチＱ１をオン状態からオフ状態に切り替える（時点ｔ１８）。このとき、負荷が第１光源部２１と第２光源部２２との両方になるが、電力制御部４１の定電流制御により、出力電流Ｉ１の電流値を第２目標値Ｉ１２に保つ。
【００６５】
上記より、このような場合であっても、第２光源部２２の状態を短絡状態から接続状態に正常に切り替えることができる。第２光源部２２に過電流が流れない。なお、時点ｔ１７から時点ｔ１８までの期間Ｔ１４は、一例として５００μｓであるが、この数値に限らない。
【００６６】
（３）効果
実施形態１に係る点灯装置１では、第２光源部２２の状態を接続状態から短絡状態に切り替えた後に、出力電流Ｉ１の大きさを切り替える。これにより、短絡状態における出力電流Ｉ１の第１目標値Ｉ１１が接続状態における出力電流Ｉ１の第２目標値Ｉ１２より大きい場合であっても、出力電流Ｉ１の大きさを切り替える前に、第２光源部２２の状態を短絡状態にすることができる。その結果、第２光源部２２に過電流が流れることを抑制できる。
【００６７】
実施形態１に係る点灯装置１では、第２光源部２２の状態を短絡状態から接続状態に切り替える前に、出力電流Ｉ１の大きさを切り替える。これにより、短絡状態における出力電流Ｉ１の第１目標値Ｉ１１が接続状態における出力電流Ｉ１の第２目標値Ｉ１２よりも大きい場合であっても、第２光源部２２に過電流が流れることを抑制できる。
【００６８】
実施形態１に係る点灯装置１では、接続状態では、バイパススイッチＱ１がオフ状態であり、短絡状態では、バイパススイッチＱ１がオン状態である。これにより、第２光源部２２における接続状態と短絡状態との切替えを容易に行うことができる。
【００６９】
実施形態１に係る点灯装置１では、第２光源部２２の状態が接続状態から短絡状態に切り替えられる場合、スイッチ制御部４２がバイパススイッチＱ１をオフ状態からオン状態に切り替えた後に、電力制御部４１が出力電流Ｉ１の大きさを切り替える。これにより、出力電流Ｉ１の大きさを容易に切り替えることができる。
【００７０】
実施形態１に係る点灯装置１では、第２光源部２２の状態が短絡状態から接続状態に切り替えられる場合、スイッチ制御部４２がバイパススイッチＱ１をオン状態からオフ状態に切り替える前に、電力制御部４１が出力電流Ｉ１の大きさを切り替える。これにより、出力電流Ｉ１の大きさを容易に切り替えることができる。
【００７１】
（実施形態２）
実施形態２に係る点灯装置１は、第２光源部２２の状態が切り替えられる際に、出力電流Ｉ１の電流値を、第１目標値Ｉ１１及び第２目標値Ｉ１２のうちのいずれか小さいほうの値とする点で、実施形態１に係る点灯装置１と相違する。なお、実施形態２に係る点灯装置１に関し、実施形態１に係る点灯装置１と同様の構成要素については、同一の符号を付して説明を省略する。
【００７２】
（１）構成
実施形態２の点灯装置１では、電力制御部４１は、バイパススイッチＱ１の切替以前に出力電流Ｉ１の電流値を、短絡状態における出力電流Ｉ１の第１目標値Ｉ１１及び接続状態における出力電流Ｉ１の第２目標値Ｉ１２のうちのいずれか小さいほうの電流値とする。ここで、「バイパススイッチＱ１の切替以前」は、バイパススイッチＱ１の切替よりも前のタイミングと、バイパススイッチＱ１の切替と同時のタイミングとの両方を含む意味である。
【００７３】
また、電力制御部４１は、バイパススイッチＱ１の切替以後に出力電流Ｉ１の電流値を、第１目標値Ｉ１１及び第２目標値Ｉ１２のうち、切替後の第２光源部２２の状態における出力電流Ｉ１の目標値とする。ここで、「バイパススイッチＱ１の切替以後」は、バイパススイッチＱ１の切替と同時のタイミングと、バイパススイッチＱ１の切替よりも後のタイミングとを含む意味である。
【００７４】
（２）動作例
実施形態２の点灯装置１の動作例について図１０を参照して説明する。
【００７５】
まず、第１光源部２１及び第２光源部２２の両方を点灯させる接続状態から、第１光源部２１のみを点灯させる短絡状態に切り替える場合について図１０を参照して説明する。つまり、バイパススイッチＱ１をオフ状態からオン状態に切り替える場合における点灯装置１の動作例について説明する。
【００７６】
第２光源部２２を消灯するために、運転手が、切替スイッチＳＷ２をオン状態からオフ状態に切り替える操作を行う。切替スイッチＳＷ２がオン状態からオフ状態に切り替わった場合、まず、電力制御部４１が、出力電流Ｉ１の電流値を、第１目標値Ｉ１１及び第２目標値Ｉ１２のいずれか小さいほうの値とする（ステップＳ２１）。その後、スイッチ制御部４２が、バイパススイッチＱ１をオフ状態からオン状態に切り替える（ステップＳ２２）。その後、電力制御部４１が、出力電流Ｉ１の電流値を第１目標値Ｉ１１（切替後の第２光源部２２の状態における出力電流Ｉ１の目標値）とする（ステップＳ２３）。
【００７７】
次に、第１光源部２１のみを点灯させる短絡状態から、第１光源部２１及び第２光源部２２の両方を点灯させる接続状態に切り替える場合について図１０を参照して説明する。つまり、バイパススイッチＱ１をオン状態からオフ状態に切り替える場合における点灯装置１の動作例について説明する。
【００７８】
第２光源部２２を点灯するために、運転手が、切替スイッチＳＷ２をオフ状態からオン状態に切り替える操作を行う。切替スイッチＳＷ２がオフ状態からオン状態に切り替わった場合、まず、電力制御部４１が、出力電流Ｉ１の電流値を、第１目標値Ｉ１１及び第２目標値Ｉ１２のいずれか小さいほうの値とする（ステップＳ２１）。その後、スイッチ制御部４２が、バイパススイッチＱ１をオン状態からオフ状態に切り替える（ステップＳ２２）。その後、電力制御部４１が、出力電流Ｉ１の電流値を第２目標値Ｉ１２（切替後の第２光源部２２の状態における出力電流Ｉ１の目標値）とする（ステップＳ２３）。
【００７９】
次に、短絡状態における出力電流Ｉ１の目標値（第１目標値Ｉ１１）が接続状態における出力電流Ｉ１の目標値（第２目標値Ｉ１２）よりも大きい場合について図１１及び図１２を参照して説明する。
【００８０】
最初に、第２光源部２２の状態が接続状態から短絡状態に切り替えられる際の動作について図１１を参照して説明する。切替スイッチＳＷ２をオン状態からオフ状態に切り替える操作が行われると、図１１に示すように、まず、電力制御部４１が、出力電流Ｉ１の電流値を、第１目標値Ｉ１１及び第２目標値Ｉ１２のいずれか小さいほうの値（第２目標値Ｉ１２）とする（時点ｔ２１１）。時点ｔ２１１において、出力電流Ｉ１の電流値は既に第２目標値Ｉ１２であるため、出力電流Ｉ１の電流値は変わらない。その後、スイッチ制御部４２が、バイパススイッチＱ１をオフ状態からオン状態に切り替える（時点ｔ２１２）。このとき、出力電流Ｉ１が第２目標値Ｉ１２で一定のまま、出力電圧Ｖ１が第１光源部２１のみに印加されるため、出力電圧Ｖ１が低下する。その後、電力制御部４１が、電力変換部３を制御して出力電流Ｉ１の電流値を第２目標値Ｉ１２から第１目標値Ｉ１１に切り替える（時点ｔ２２）。
【００８１】
上記より、時点ｔ２１２でバイパススイッチＱ１がオン状態になったことにより、時点ｔ２１２以降では第２光源部２２には出力電流Ｉ１が流れなくなる。これにより、時点ｔ２１２から時点ｔ２２までの期間Ｔ２１において、第２光源部２２に過電流（第２目標値Ｉ１２よりも大きい第１目標値Ｉ１１の出力電流Ｉ１）が流れることを抑制できる。なお、期間Ｔ２１は、一例として５００μｓであるが、この数値に限らない。また、時点ｔ２１１での動作と時点ｔ２１２での動作は同時に実行されてもよい。
【００８２】
次に、第２光源部２２の状態が短絡状態から接続状態に切り替えられる際の動作について図１２を参照して説明する。切替スイッチＳＷ２をオフ状態からオン状態に切り替える操作が行われると、図１２に示すように、まず、電力制御部４１が、出力電流Ｉ１の電流値を、第１目標値Ｉ１１及び第２目標値Ｉ１２のいずれか小さいほうの値（第２目標値Ｉ１２）とする（時点ｔ２３）。その後、スイッチ制御部４２が、バイパススイッチＱ１をオン状態からオフ状態に切り替える（時点ｔ２４１）。このとき、負荷が第１光源部２１と第２光源部２２との両方になるが、電力制御部４１の定電流制御により、出力電流Ｉ１の電流値を第２目標値Ｉ１２に保つ。その後、電力制御部４１が、出力電流Ｉ１の電流値を第１目標値Ｉ１１とする（時点ｔ２４２）。
【００８３】
上記より、時点ｔ２３で出力電流Ｉ１の電流値が第２目標値Ｉ１２となり、時点ｔ２４１でバイパススイッチＱ１がオフ状態になったことにより、第２光源部２２に過電流（第２目標値Ｉ１２よりも大きい第１目標値Ｉ１１の出力電流Ｉ１）が流れることを抑制できる。なお、時点ｔ２３から時点ｔ２４１までの期間Ｔ２２は、一例として５００μｓであるが、この数値に限らない。また、時点ｔ２４１での動作と時点ｔ２４２での動作は同時に実行されてもよい。
【００８４】
次に、短絡状態における出力電流Ｉ１の目標値（第１目標値Ｉ１１）が接続状態における出力電流Ｉ１の目標値（第２目標値Ｉ１２）よりも小さい場合について図１３及び図１４を参照して説明する。
【００８５】
最初に、第２光源部２２の状態が接続状態から短絡状態に切り替えられる際の動作について図１３を参照して説明する。切替スイッチＳＷ２をオン状態からオフ状態に切り替える操作が行われると、図１３に示すように、まず、電力制御部４１が、出力電流Ｉ１の電流値を、第１目標値Ｉ１１及び第２目標値Ｉ１２のいずれか小さいほうの値（第１目標値Ｉ１１）とする（時点ｔ２５）。つまり、電力制御部４１が、電力変換部３を制御して出力電流Ｉ１の電流値を第２目標値Ｉ１２から第１目標値Ｉ１１に切り替える。その後、スイッチ制御部４２が、バイパススイッチＱ１をオフ状態からオン状態に切り替える（時点ｔ２６１）。このとき、出力電流Ｉ１が第１目標値Ｉ１１で一定のまま、出力電圧Ｖ１が第１光源部２１のみに印加されるため、出力電圧Ｖ１が低下する。その後、電力制御部４１が、出力電流Ｉ１の電流値を第１目標値Ｉ１１とする（時点ｔ２６２）。
【００８６】
上記より、このような場合であっても、第２光源部２２の状態を接続状態から短絡状態に正常に切り替えることができる。第２光源部２２に過電流が流れない。なお、時点ｔ２５から時点ｔ２６１までの期間Ｔ２３は、一例として５００μｓであるが、この数値に限らない。また、時点ｔ２６１での動作と時点ｔ２６２での動作は同時に実行されてもよい。
【００８７】
次に、第２光源部２２の状態が短絡状態から接続状態に切り替えられる際の動作について図１４を参照して説明する。切替スイッチＳＷ２をオフ状態からオン状態に切り替える操作が行われると、図１４に示すように、まず、電力制御部４１が、出力電流Ｉ１の電流値を、第１目標値Ｉ１１及び第２目標値Ｉ１２のいずれか小さいほうの値（第１目標値Ｉ１１）とする（時点ｔ２７１）。その後、スイッチ制御部４２が、バイパススイッチＱ１をオン状態からオフ状態に切り替える（時点ｔ２７２）。負荷が第１光源部２１と第２光源部２２との両方になるが、電力制御部４１の定電流制御により、出力電流Ｉ１の電流値を第１目標値Ｉ１１に保つ。その後、電力制御部４１が、電力変換部３を制御して出力電流Ｉ１の電流値を第１目標値Ｉ１１から第２目標値Ｉ１２に切り替える（時点ｔ２８）。
【００８８】
上記より、このような場合であっても、第２光源部２２の状態を短絡状態から接続状態に正常に切り替えることができる。第２光源部２２に過電流が流れない。なお、時点ｔ２７２から時点ｔ２８までの期間Ｔ２４は、一例として５００μｓであるが、この数値に限らない。また、時点ｔ２７１での動作と時点ｔ２７２での動作は同時に実行されてもよい。
【００８９】
（３）効果
実施形態２に係る点灯装置１では、バイパススイッチＱ１の切替以前に出力電流Ｉ１の電流値を第１目標値Ｉ１１及び第２目標値Ｉ１２のうちのいずれか小さいほうの電流値とする。これにより、第２光源部２２に過電流が流れることを精度よく抑制できる。
【００９０】
（実施形態３）
実施形態３に係る点灯装置１は、第２光源部２２の状態を切り替える際に、出力電流Ｉ１の電流値を、第１目標値Ｉ１１及び第２目標値Ｉ１２よりも小さい値（第３目標値Ｉ１３）とする点で、実施形態１に係る点灯装置１と相違する。なお、実施形態３に係る点灯装置１に関し、実施形態１に係る点灯装置１と同様の構成要素については、同一の符号を付して説明を省略する。
【００９１】
（１）構成
実施形態３の点灯装置１では、電力制御部４１は、バイパススイッチＱ１の切替以前に出力電流Ｉ１の電流値を、短絡状態における出力電流Ｉ１の第１目標値Ｉ１１及び接続状態における出力電流Ｉ１の第２目標値Ｉ１２の両方よりも小さい電流値（第３目標値Ｉ１３）とする。ここで、「バイパススイッチＱ１の切替以前」は、バイパススイッチＱ１の切替よりも前のタイミングと、バイパススイッチＱ１の切替と同時のタイミングとの両方を含む意味である。
【００９２】
また、電力制御部４１は、バイパススイッチＱ１の切替以後に出力電流Ｉ１の電流値を、第１目標値Ｉ１１及び第２目標値Ｉ１２のうち、切替後の第２光源部２２の状態における出力電流Ｉ１の目標値とする。ここで、「バイパススイッチＱ１の切替以後」は、バイパススイッチＱ１の切替と同時のタイミングと、バイパススイッチＱ１の切替よりも後のタイミングとを含む意味である。
【００９３】
（２）動作例
実施形態３の点灯装置１の動作例について図１５を参照して説明する。
【００９４】
まず、第１光源部２１及び第２光源部２２の両方を点灯させる接続状態から、第１光源部２１のみを点灯させる短絡状態に切り替える場合について図１５を参照して説明する。つまり、バイパススイッチＱ１をオフ状態からオン状態に切り替える場合における点灯装置１の動作例について説明する。
【００９５】
第２光源部２２を消灯するために、運転手が、切替スイッチＳＷ２をオン状態からオフ状態に切り替える操作を行う。切替スイッチＳＷ２がオン状態からオフ状態に切り替わった場合、まず、電力制御部４１が、出力電流Ｉ１の電流値を、第１目標値Ｉ１１及び第２目標値Ｉ１２よりも低い値（第３目標値Ｉ１３）とする（ステップＳ３１）。その後、スイッチ制御部４２が、バイパススイッチＱ１をオフ状態からオン状態に切り替える（ステップＳ３２）。その後、電力制御部４１が、出力電流Ｉ１の電流値を切り替える（ステップＳ３３）。つまり、電力制御部４１が、出力電流Ｉ１の電流値を第３目標値Ｉ１３から第１目標値Ｉ１１に切り替える。
【００９６】
次に、第１光源部２１のみを点灯させる短絡状態から、第１光源部２１及び第２光源部２２の両方を点灯させる接続状態に切り替える場合について図１５を参照して説明する。つまり、バイパススイッチＱ１をオン状態からオフ状態に切り替える場合における点灯装置１の動作例について説明する。
【００９７】
第２光源部２２を点灯するために、運転手が、切替スイッチＳＷ２をオフ状態からオン状態に切り替える操作を行う。切替スイッチＳＷ２がオフ状態からオン状態に切り替わった場合、まず、電力制御部４１が、出力電流Ｉ１の電流値を切り替える（ステップＳ３１）。つまり、電力制御部４１が、出力電流Ｉ１の電流値を、第１目標値Ｉ１１及び第２目標値Ｉ１２よりも低い値（第３目標値Ｉ１３）とする。その後、スイッチ制御部４２が、バイパススイッチＱ１をオン状態からオフ状態に切り替える（ステップＳ３２）。その後、電力制御部４１が、出力電流Ｉ１の電流値を切り替える（ステップＳ３３）。つまり、電力制御部４１が、出力電流Ｉ１の電流値を第３目標値Ｉ１３から第２目標値Ｉ１２に切り替える。
【００９８】
次に、短絡状態における出力電流Ｉ１の目標値（第１目標値Ｉ１１）が接続状態における出力電流Ｉ１の目標値（第２目標値Ｉ１２）よりも大きい場合について図１６及び図１７を参照して説明する。
【００９９】
最初に、第２光源部２２の状態が接続状態から短絡状態に切り替えられる際の動作について図１６を参照して説明する。切替スイッチＳＷ２をオン状態からオフ状態に切り替える操作が行われると、図１６に示すように、電力制御部４１が、出力電流Ｉ１の電流値を、第１目標値Ｉ１１及び第２目標値Ｉ１２よりも小さい値（第３目標値Ｉ１３）とする（時点ｔ３１）。このとき、電力制御部４１の定電流制御により、出力電流Ｉ１が小さくなる。その後、スイッチ制御部４２が、バイパススイッチＱ１をオフ状態からオン状態に切り替える（時点ｔ３２）。このとき、出力電流Ｉ１は第３目標値Ｉ１３で一定のまま、出力電圧Ｖ１が第１光源部２１のみに印加されるため、出力電圧Ｖ１が低下する。その後、電力制御部４１が、電力変換部３を制御して出力電流Ｉ１の電流値を第３目標値Ｉ１３から第１目標値Ｉ１１に切り替える（時点ｔ３３）。
【０１００】
上記より、時点ｔ３２でバイパススイッチＱ１がオン状態になったことにより、時点ｔ３２以降では第２光源部２２には出力電流Ｉ１が流れなくなる。これにより、時点ｔ３１から時点ｔ３３までの期間Ｔ３１において、第２光源部２２に過電流（第２目標値Ｉ１２よりも大きい第１目標値Ｉ１１の出力電流Ｉ１）が流れない。なお、期間Ｔ３１は、一例として５００μｓであるが、この数値に限らない。
【０１０１】
次に、第２光源部２２の状態が短絡状態から接続状態に切り替えられる際の動作について図１７を参照して説明する。切替スイッチＳＷ２をオフ状態からオン状態に切り替える操作が行われると、図１７に示すように、電力制御部４１が、出力電流Ｉ１の電流値を、第１目標値Ｉ１１及び第２目標値Ｉ１２よりも小さい値（第３目標値Ｉ１３）とする（時点ｔ３４）。その後、スイッチ制御部４２が、バイパススイッチＱ１をオン状態からオフ状態に切り替える（時点ｔ３５）。このとき、負荷が第１光源部２１と第２光源部２２との両方になるが、電力制御部４１の定電流制御により、出力電流Ｉ１の電流値を第３目標値Ｉ１３に保つ。その後、電力制御部４１が、電力変換部３を制御して出力電流Ｉ１の電流値を第３目標値Ｉ１３から第２目標値Ｉ１２に切り替える（時点ｔ３６）。
【０１０２】
上記より、時点ｔ３４から時点ｔ３６までの期間Ｔ３２において出力電流Ｉ１の電流値が第３目標値Ｉ１３であり、時点ｔ３５でバイパススイッチＱ１がオフ状態になったことにより、第２光源部２２に過電流（第２目標値Ｉ１２よりも大きい第１目標値Ｉ１１の出力電流Ｉ１）が流れない。なお、期間Ｔ３２は、一例として５００μｓであるが、この数値に限らない。
【０１０３】
次に、短絡状態における出力電流Ｉ１の目標値（第１目標値Ｉ１１）が接続状態における出力電流Ｉ１の目標値（第２目標値Ｉ１２）よりも小さい場合について図１８及び図１９を参照して説明する。
【０１０４】
最初に、第２光源部２２の状態が接続状態から短絡状態に切り替えられる際の動作について図１８を参照して説明する。切替スイッチＳＷ２をオン状態からオフ状態に切り替える操作が行われると、図１８に示すように、まず、電力制御部４１が、出力電流Ｉ１の電流値を、第１目標値Ｉ１１及び第２目標値Ｉ１２よりも小さい値（第３目標値Ｉ１３）とする（時点ｔ４１）。このとき、出力電流Ｉ１の電流値が第２目標値Ｉ１２から第３目標値Ｉ１３へ小さくなる。その後、スイッチ制御部４２が、バイパススイッチＱ１をオフ状態からオン状態に切り替える（時点ｔ４２）。このとき、負荷が第１光源部２１のみとなるが、電力制御部４１の定電流制御により、出力電流Ｉ１の電流値を第３目標値Ｉ１３で一定とする。その後、電力制御部４１が、出力電流Ｉ１の電流値を第３目標値Ｉ１３から第１目標値Ｉ１１に切り替える（時点ｔ４３）。
【０１０５】
上記より、このような場合であっても、第２光源部２２の状態を接続状態から短絡状態に正常に切り替えることができる。第２光源部２２に過電流が流れることを抑制できる。なお、時点ｔ４１から時点ｔ４３までの期間Ｔ４１は、一例として５００μｓであるが、この数値に限らない。
【０１０６】
次に、第２光源部２２の状態が短絡状態から接続状態に切り替えられる際の動作について図１９を参照して説明する。切替スイッチＳＷ２をオフ状態からオン状態に切り替える操作が行われると、図１９に示すように、まず、電力制御部４１が、出力電流Ｉ１の電流値を、第１目標値Ｉ１１及び第２目標値Ｉ１２よりも小さい値（第３目標値Ｉ１３）とする（時点ｔ４４）。その後、スイッチ制御部４２が、バイパススイッチＱ１をオン状態からオフ状態に切り替える（時点ｔ４５）。負荷が第１光源部２１と第２光源部２２との両方になるが、電力制御部４１の定電流制御により、出力電流Ｉ１の電流値を第３目標値Ｉ１３に保つ。その後、電力制御部４１が、電力変換部３を制御して出力電流Ｉ１の電流値を第３目標値Ｉ１３から第２目標値Ｉ１２に切り替える（時点ｔ４６）。
【０１０７】
上記より、このような場合であっても、第２光源部２２の状態を短絡状態から接続状態に正常に切り替えることができる。第２光源部２２に過電流が流れることを抑制できる。なお、時点ｔ４４から時点ｔ４６までの期間Ｔ４２は、一例として５００μｓであるが、この数値に限らない。
【０１０８】
（３）効果
実施形態３に係る点灯装置１では、バイパススイッチＱ１の切替以前に出力電流Ｉ１の電流値を第１目標値Ｉ１１及び第２目標値Ｉ１２の両方よりも小さい電流値（第３目標値Ｉ１３）とする。これにより、第２光源部２２に過電流が流れることを精度よく抑制できる。
【０１０９】
（実施形態４）
実施形態４に係る点灯装置１は、図２０に示すように、第１光源部２１に第１バイパススイッチＱ１１が並列接続されており、かつ、第２光源部２２に第２バイパススイッチＱ１２が並列接続されている点で、実施形態１に係る点灯装置１（図１参照）と相違する。なお、実施形態４に係る点灯装置１に関し、実施形態１に係る点灯装置１と同様の構成要素については、同一の符号を付して説明を省略する。
【０１１０】
（１）構成
実施形態４の点灯装置１は、図２０に示すように、第１バイパススイッチＱ１１と、第２バイパススイッチＱ１２とを備える。第１バイパススイッチＱ１１は、第１光源部２１に電気的に並列接続されている。第２バイパススイッチＱ１２は、第２光源部２２に電気的に並列接続されている。第１バイパススイッチＱ１１は、第２バイパススイッチＱ１２とは別体である。
【０１１１】
実施形態４のスイッチ制御部４２は、第１バイパススイッチＱ１１及び第２バイパススイッチＱ１２を制御する。
【０１１２】
実施形態４の電力制御部４１は、第１バイパススイッチＱ１１のオン／オフの状態及び第２バイパススイッチＱ１２のオン／オフの状態に応じて出力電流Ｉ１を切り替えて第１光源部２１及び第２光源部２２に電力を供給する。
【０１１３】
電力制御部４１は、第１光源部２１の状態が第１状態から第２状態に切り替えられる場合、スイッチ制御部４２が第１バイパススイッチＱ１１を制御して第１光源部２１の状態を第１状態から第２状態に切り替えた後に、出力電流Ｉ１の大きさを切り替える機能を有する。
【０１１４】
電力制御部４１は、第１光源部２１の状態が第２状態から第１状態に切り替えられる場合、スイッチ制御部４２が第１バイパススイッチＱ１１を制御して第１光源部２１の状態を第２状態から第１状態に切り替える前に、出力電流Ｉ１の大きさを切り替える機能を更に有する。
【０１１５】
ここで、第１状態とは、第１光源部２１が第２光源部２２に電気的に接続されており第１光源部２１に出力電流Ｉ１が流れる接続状態をいう。第２状態とは、第１光源部２１が電気的に短絡されている短絡状態をいう。
【０１１６】
スイッチ制御部４２は、第１光源部２１の状態を第１状態から第２状態に切り替える場合、第１バイパススイッチＱ１１がオフ状態からオン状態になるように第１バイパススイッチＱ１１を制御する。電力制御部４１は、スイッチ制御部４２が第１バイパススイッチＱ１１をオフ状態からオン状態に切り替えた後に、出力電流Ｉ１の大きさを切り替える。
【０１１７】
スイッチ制御部４２は、第１光源部２１の状態を第２状態から第１状態に切り替える場合、第１バイパススイッチＱ１１がオン状態からオフ状態になるように第１バイパススイッチＱ１１を制御する。電力制御部４１は、スイッチ制御部４２が第１バイパススイッチＱ１１をオン状態からオフ状態に切り替える前に、出力電流Ｉ１の大きさを切り替える。
【０１１８】
（２）効果
実施形態４に係る点灯装置１では、第１光源部２１の状態を第１状態（接続状態）から第２状態（短絡状態）に切り替えた後に、出力電流Ｉ１の大きさを切り替える。これにより、第１光源部２１の短絡状態における出力電流Ｉ１の目標値が第１光源部２１の接続状態における出力電流Ｉ１の目標値より大きい場合であっても、出力電流Ｉ１の大きさを切り替える前に、第１光源部２１を短絡状態にすることができる。その結果、第１光源部２１に過電流が流れることを抑制できる。
【０１１９】
（実施形態５）
実施形態５に係る点灯装置１は、図２１に示すように、３つの光源部２を備える点で、実施形態１に係る点灯装置１（図１参照）と相違する。なお、実施形態５に係る点灯装置１に関し、実施形態１に係る点灯装置１と同様の構成要素については、同一の符号を付して説明を省略する。
【０１２０】
（１）構成
実施形態５の点灯装置１は、図２１に示すように、第１光源部２１及び第２光源部２２と共に、第３光源部２３を更に備える。なお、実施形態５の点灯装置１に関し、実施形態１の点灯装置１（図１参照）と同様の構成及び機能については説明を省略する。
【０１２１】
また、実施形態５の点灯装置１は、図２１に示すように、第１バイパススイッチＱ１１と、第２バイパススイッチＱ１２と、第３バイパススイッチＱ１３とを備える。第１バイパススイッチＱ１１は、第１光源部２１に電気的に並列接続されている。第２バイパススイッチＱ１２は、第２光源部２２に電気的に並列接続されている。第３バイパススイッチＱ１３は、第３光源部２３に電気的に並列接続されている。第１バイパススイッチＱ１１は、第２バイパススイッチＱ１２及び第３バイパススイッチＱ１３とは別体である。
【０１２２】
また、第１バイパススイッチＱ１１には、第１コンデンサＣ２１が電気的に並列接続されており、第２バイパススイッチＱ１２には、第２コンデンサＣ２２が電気的に並列接続されており、第３バイパススイッチＱ１３には、第３コンデンサＣ２３が電気的に並列接続されている。
【０１２３】
（２）動作例
次に、実施形態５の点灯装置１の動作例について図２２を参照して説明する。
【０１２４】
まず、第１光源部２１、第２光源部２２、及び第３光源部２３の全てを点灯させる状態（第１接続状態）から、第２光源部２２及び第３光源部２３のみを点灯させる状態（第２接続状態）に切り替える場合、第１バイパススイッチＱ１１をオフ状態からオン状態に切り替える（時点ｔ５１）。このとき、負荷が第２光源部２２及び第３光源部２３となるが、電力制御部４１の定電流制御により、出力電流Ｉ１を第１目標値Ｉ１４で一定に保つ。その後、電力制御部４１が、出力電流Ｉ１の電流値を大きくする（時点ｔ５２）。出力電流Ｉ１の電流値は、時点ｔ５１では第１目標値Ｉ１４のままであり、時点ｔ５２で第１目標値Ｉ１４から第２目標値Ｉ１５に切り替わる。
【０１２５】
上記のように、時点ｔ５２よりも前の時点ｔ５１で第１バイパススイッチＱ１１がオン状態になったことにより、時点ｔ５１から時点ｔ５２までの期間Ｔ５１において、第１光源部２１に過電流（第２目標値Ｉ１５の出力電流Ｉ１）が流れることを抑制できる。
【０１２６】
続いて、第２光源部２２及び第３光源部２３を点灯させる状態（第２接続状態）から、第２光源部２２のみを点灯させる状態（第１短絡状態）に切り替える場合、第３バイパススイッチＱ１３をオフ状態からオン状態に切り替える（時点ｔ５３）。このとき、負荷が第２光源部２２のみとなるが、電力制御部４１の定電流制御により、出力電流Ｉ１を第２目標値Ｉ１５で一定に保つ。その後、電力制御部４１が、出力電流Ｉ１の電流値を大きくする（時点ｔ５４）。出力電流Ｉ１の電流値は、時点ｔ５３では第２目標値Ｉ１５のままであり、時点ｔ５４で第２目標値Ｉ１５から第２目標値Ｉ１６に切り替わる。
【０１２７】
上記のように、時点ｔ５４よりも前の時点ｔ５３で第３バイパススイッチＱ１３がオン状態になったことにより、時点ｔ５３から時点ｔ５４までの期間Ｔ５２において、第３光源部２３に過電流（第２目標値Ｉ１６の出力電流Ｉ１）が流れることを抑制できる。
【０１２８】
その後、第２光源部２２のみを点灯させる状態（第１短絡状態）から、第１光源部２１及び第２光源部２２を点灯させる状態（第２短絡状態）に切り替える場合、スイッチ制御部４２が、第１バイパススイッチＱ１１をオン状態からオフ状態に切り替える前に、電力制御部４１が、出力電流Ｉ１の電流値を小さくする（時点ｔ５５）。その後、スイッチ制御部４２が、第１バイパススイッチＱ１１をオン状態からオフ状態に切り替える（時点ｔ５６）。出力電流Ｉ１の電流値は、時点ｔ５６よりも前の時点ｔ５５で第２目標値Ｉ１６から第２目標値Ｉ１５に切り替わる。
【０１２９】
上記のように、時点ｔ５５より後の時点ｔ５６で第１バイパススイッチＱ１１がオフ状態になったことにより、時点ｔ５５から時点ｔ５６までの期間Ｔ５３において、第１光源部２１に過電流（第２目標値Ｉ１５，Ｉ１６の出力電流Ｉ１）が流れることを抑制できる。
【０１３０】
その後、第１光源部２１及び第２光源部２２を点灯させる状態（第２短絡状態）から、第１光源部２１、第２光源部２２、及び第３光源部２３を点灯させる状態（第１接続状態）に切り替える場合、スイッチ制御部４２が、第３バイパススイッチＱ１３をオン状態からオフ状態に切り替える前に、電力制御部４１が、出力電流Ｉ１の電流値を小さくする（時点ｔ５７）。ただし、図２２の例では、出力電流Ｉ１の電流値が既に小さくなっているから一定（第１目標値Ｉ１４）のままである。その後、スイッチ制御部４２が、第３バイパススイッチＱ１３をオン状態からオフ状態に切り替える（時点ｔ５８）。
【０１３１】
時点ｔ５７から時点ｔ５８までの期間Ｔ５４においても、第３光源部２３に過電流が流れることを抑制できる。
【０１３２】
（変形例）
実施形態１〜５の変形例に係る点灯装置１の動作例について図２３を参照して説明する。図２３は、実施形態１の変形例の場合を示す。ここでは、第１光源部２１及び第２光源部２２の両方を点灯させる状態から、第１光源部２１のみを点灯させる状態に切り替える場合について説明する。つまり、バイパススイッチＱ１をオフ状態からオン状態に切り替える場合における点灯装置１の動作例について説明する。
【０１３３】
第２光源部２２を消灯するために、運転手が、切替スイッチＳＷ２をオン状態からオフ状態に切り替える操作を行う。
【０１３４】
電力制御部４１は、切替スイッチＳＷ２がオン状態からオフ状態に切り替わった場合、所定の停止期間Ｔ６０（時点ｔ６１から時点ｔ６３までの期間）の間、電力変換部３を停止させる。具体的には、電力制御部４１は、停止期間Ｔ６０の間、降圧コンバータ回路３２を停止させる。なお、電力制御部４１は、停止期間Ｔ６０の間、降圧コンバータ回路３２と、昇圧コンバータ回路３１との両方を停止させてもよい。
【０１３５】
したがって、停止期間Ｔ６０において、停止期間Ｔ６０の前に比べて電力変換部３の出力電流Ｉ１が低減して略ゼロとなる。電力制御部４１は、停止期間Ｔ６０が経過すると（時点ｔ６３）、電力変換部３（降圧コンバータ回路３２）の動作を再開させ、電力変換部３の出力電流Ｉ１を停止前の状態に復帰させる。つまり、電力制御部４１は、切替スイッチＳＷ２がオン状態からオフ状態に切り替わった場合、電力変換部３の出力電流Ｉ１を一時的に低減させる。停止期間Ｔ６０は、一例として３０μｓであるが、この数値に限らない。
【０１３６】
スイッチ制御部４２は、切替スイッチＳＷ２がオン状態からオフ状態に切り替わった場合、電力制御部４１が電力変換部３の出力電流Ｉ１を低減させた状態（停止期間Ｔ６０中）で、バイパススイッチＱ１をオフ状態からオン状態に切り替える。言い換えれば、電力制御部４１は、スイッチ制御部４２がバイパススイッチＱ１をオフ状態からオン状態に切り替える前に、電力変換部３を停止させる。本変形例では、スイッチ制御部４２は、電力制御部４１が電力変換部３の出力電流Ｉ１の低減を開始した時点ｔ６１から、第１期間Ｔ６１が経過した時点ｔ６２において、バイパススイッチＱ１をオフ状態からオン状態に切り替える。第１期間Ｔ６１は、一例として１０μｓであるが、この数値に限らない。電力変換部３は、スイッチ制御部４２がバイパススイッチＱ１をオフ状態からオン状態に切り替えた時点ｔ６２から、第２期間Ｔ６２が経過した時点ｔ６３において、電力変換部３の動作を再開させる。第２期間Ｔ６２は、一例として２０μｓであるが、この数値に限らない。
【０１３７】
本変形例の点灯装置１では、電力変換部３が停止している状態で、バイパススイッチＱ１がオフ状態からオン状態に切り替えられる。したがって、電力変換部３の出力電流Ｉ１が略ゼロである状態で、平滑コンデンサＣ１からサージ電流が発生する。これにより、光源部２に過電流が流れることが抑制される。より具体的には、バイパススイッチＱ１がオフ状態からオン状態に切り替わった際に、複数の光源部２のうちバイパススイッチＱ１が並列接続されていない光源部２（第１光源部２１）に過電流が流れることが抑制される。
【０１３８】
また、電力変換部３が停止してからバイパススイッチＱ１がオンするまでの第１期間Ｔ６１において、平滑コンデンサＣ１が放電するため、バイパススイッチＱ１がオンした際のサージ電流が抑制される。したがって、第１光源部２１に過電流が流れることが抑制される。第１期間Ｔ６１は、平滑コンデンサＣ１のサージ電流が第１光源部２１に流れた際における電流Ｉ２のピーク値が、第１光源部２１の定常時における電流Ｉ２の電流値よりも小さくなるように設定されていることが好ましい。第１光源部２１の定常時における電流Ｉ２の電流値とは、定電流制御される電力変換部３（降圧コンバータ回路３２）の出力電流Ｉ１の目標値である。
【０１３９】
第１コンデンサＣ２１は、第１光源部２１と電気的に並列接続されている。したがって、バイパススイッチＱ１がオフ状態からオン状態に切り替わっても、第１コンデンサＣ２１の両端間における電気負荷の変化がない。そのため、第１コンデンサＣ２１からサージ電流が発生しない。
【０１４０】
第２コンデンサＣ２２は、バイパススイッチＱ１と電気的に並列接続されている。したがって、バイパススイッチＱ１がオフ状態からオン状態に切り替わると、バイパススイッチＱ１を介して第２コンデンサＣ２２が短絡する。そのため、第２光源部２２に過電流が流れることが抑制される。
【０１４１】
また、電力変換部３の出力端Ｐ３１，Ｐ３２間において、平滑コンデンサＣ１と、第１コンデンサＣ２１及び第２コンデンサＣ２２の直列回路と、が電気的に並列接続されている。平滑コンデンサＣ１と、第１コンデンサＣ２１及び第２コンデンサＣ２２の直列回路と、の合成容量によって、電力変換部３の出力電流Ｉ１のリップルを抑制することができる。したがって、本実施形態の点灯装置１では、第１コンデンサＣ２１及び第２コンデンサＣ２２を備えていない構成に比べて、平滑コンデンサＣ１の容量の低減を図ることができる。これにより、平滑コンデンサＣ１のサージ電流を抑制することができ、第１光源部２１に過電流が流れることを抑制することができる。
【０１４２】
実施形態１〜５の他の変形例として、点灯装置１において、電力変換部３の出力端Ｐ３１，Ｐ３２間に接続された平滑コンデンサＣ１は、必須の構成ではなく、図２４に示すように、平滑コンデンサＣ１が省略されていてもよい。図２４は、実施形態１の変形例の場合を示す。電力変換部３の出力端Ｐ３１，Ｐ３２間には、複数のコンデンサＣ２（第１コンデンサＣ２１、第２コンデンサＣ２２）が直列接続されている。したがって、平滑コンデンサＣ１を省略した構成であっても、複数のコンデンサＣ２（第１コンデンサＣ２１、第２コンデンサＣ２２）の合成容量により、電力変換部３の出力電流Ｉ１のリップルを抑制することができる。これにより、点灯装置１と複数の光源部２とを電気的に接続するケーブル等から放射される輻射ノイズを抑制することができる。また、図２５に示すように、電力変換部３の出力電流Ｉ１を低減させず、バイパススイッチＱ１がオフ状態からオン状態に切り替えても（時点ｔ７１）、平滑コンデンサＣ１が省略されていることにより、第１光源部２１に過電流が流れることが抑制される。
【０１４３】
実施形態１〜５の他の変形例として、点灯装置１は、コンピュータシステム（制御部４）を含んでいる。コンピュータシステムは、ハードウェアとしてのプロセッサ及びメモリを主構成とする。コンピュータシステムのメモリに記録されたプログラムをプロセッサが実行することによって、点灯装置１としての機能が実現される。プログラムは、コンピュータシステムのメモリにあらかじめ記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。例えば、電力制御部４１とスイッチ制御部４２とは、１つのチップに集約されていてもよいし、複数のチップに分散して設けられていてもよい。
【０１４４】
また、点灯装置１における複数の構成要素（又は機能）が、１つの筐体内に集約されていることは点灯装置１に必須の構成ではない。点灯装置１の構成要素（又は機能）は、複数の筐体に分散して設けられていてもよい。
【０１４５】
（まとめ）
以上説明した実施形態及び変形例より以下の態様が開示されている。
【０１４６】
第１の態様に係る点灯装置（１）は、電力変換部（３）と、バイパススイッチ（Ｑ１）と、スイッチ制御部（４２）と、電力制御部（４１）とを備える。電力変換部（３）は、第１光源部（２１）及び第２光源部（２２）を含む光源ユニット（１０）に出力電流（Ｉ１）を出力して電力を供給する。第１光源部（２１）及び第２光源部（２２）は、互いに電気的に直列接続されている。バイパススイッチ（Ｑ１）は、第２光源部（２２）に電気的に並列接続されている。スイッチ制御部（４２）は、バイパススイッチ（Ｑ１）を制御する。電力制御部（４１）は、電力変換部（３）を制御する。電力変換部（３）は、バイパススイッチ（Ｑ１）のオン／オフの状態に応じて出力電流（Ｉ１）の大きさを切り替えて光源ユニット（１０）に電力を供給する。電力制御部（４１）は、第２光源部（２２）の状態が接続状態から短絡状態に切り替えられる場合、スイッチ制御部（４２）がバイパススイッチ（Ｑ１）を制御して第２光源部（２２）を接続状態から短絡状態に切り替えた後に、出力電流（Ｉ１）の大きさを切り替える機能を有する。接続状態は、第２光源部（２２）が第１光源部（２１）に電気的に接続されており第２光源部（２２）に出力電流（Ｉ１）が流れる状態である。短絡状態は、第２光源部（２２）が電気的に短絡されている状態である。
【０１４７】
第１の態様に係る点灯装置（１）によれば、短絡状態における出力電流（Ｉ１）の第１目標値（Ｉ１１）が接続状態における出力電流（Ｉ１）の第２目標値（Ｉ１２）より大きい場合であっても、出力電流（Ｉ１）の大きさを切り替える前に、第２光源部（２２）を短絡状態にすることができる。その結果、第２光源部（２２）に過電流が流れることを抑制できる。
【０１４８】
第２の態様に係る点灯装置（１）は、第１の態様において、電力制御部（４１）は、第２光源部（２２）が短絡状態から接続状態に切り替えられる場合、スイッチ制御部（４２）がバイパススイッチ（Ｑ１）を制御して第２光源部（２２）を短絡状態から接続状態に切り替える前に、出力電流（Ｉ１）の大きさを切り替える機能を更に有する。
【０１４９】
第２の態様に係る点灯装置（１）によれば、短絡状態における出力電流（Ｉ１）の第１目標値（Ｉ１１）が接続状態における出力電流（Ｉ１）の第２目標値（Ｉ１２）よりも大きい場合であっても、第２光源部（２２）に過電流が流れることを抑制できる。
【０１５０】
第３の態様に係る点灯装置（１）は、第２の態様において、接続状態では、バイパススイッチ（Ｑ１）がオフ状態である。短絡状態では、バイパススイッチ（Ｑ１）がオン状態である。
【０１５１】
第３の態様に係る点灯装置（１）によれば、第２光源部（２２）における接続状態と短絡状態との切替えを容易に行うことができる。
【０１５２】
第４の態様に係る点灯装置（１）は、第３の態様において、スイッチ制御部（４２）は、第２光源部（２２）を接続状態から短絡状態に切り替える場合、バイパススイッチ（Ｑ１）がオフ状態からオン状態になるようにバイパススイッチ（Ｑ１）を制御する。電力制御部（４１）は、第２光源部（２２）が接続状態から短絡状態に切り替えられる場合、スイッチ制御部（４２）がバイパススイッチ（Ｑ１）をオフ状態からオン状態に切り替えた後に、出力電流（Ｉ１）の大きさを切り替える。
【０１５３】
第４の態様に係る点灯装置（１）によれば、出力電流（Ｉ１）の大きさを容易に切り替えることができる。
【０１５４】
第５の態様に係る点灯装置（１）は、第３又は４の態様において、スイッチ制御部（４２）は、第２光源部（２２）を短絡状態から接続状態に切り替える場合、バイパススイッチ（Ｑ１）がオン状態からオフ状態になるようにバイパススイッチ（Ｑ１）を制御する。電力制御部（４１）は、第２光源部（２２）が短絡状態から接続状態に切り替えられる場合、スイッチ制御部（４２）がバイパススイッチ（Ｑ１）をオン状態からオフ状態に切り替える前に、出力電流（Ｉ１）の大きさを切り替える。
【０１５５】
第５の態様に係る点灯装置（１）によれば、出力電流（Ｉ１）の大きさを容易に切り替えることができる。
【０１５６】
第６の態様に係る点灯装置（１）では、第１〜３の態様のいずれか１つにおいて、電力制御部（４１）は、バイパススイッチ（Ｑ１）の切替以前に出力電流（Ｉ１）の電流値を、短絡状態における出力電流（Ｉ１）の第１目標値（Ｉ１１）及び接続状態における出力電流（Ｉ１）の第２目標値（Ｉ１２）のうちのいずれか小さいほうの電流値とする。電力制御部（４１）は、バイパススイッチ（Ｑ１）の切替以後に出力電流（Ｉ１）の電流値を、第１目標値（Ｉ１１）及び第２目標値（Ｉ１２）のうち、切替後の第２光源部（２２）の状態における出力電流（Ｉ１）の目標値とする。
【０１５７】
第６の態様に係る点灯装置（１）によれば、第２光源部（２２）に過電流が流れることを精度よく抑制できる。
【０１５８】
第７の態様に係る点灯装置（１）では、第１〜３の態様のいずれか１つにおいて、電力制御部（４１）は、バイパススイッチ（Ｑ１）の切替以前に出力電流（Ｉ１）の電流値を、短絡状態における出力電流（Ｉ１）の第１目標値（Ｉ１１）及び接続状態における出力電流（Ｉ１）の第２目標値（Ｉ１２）の両方よりも小さい電流値（第３目標値Ｉ１３）とする。電力制御部（４１）は、バイパススイッチ（Ｑ１）の切替以後に出力電流（Ｉ１）の電流値を、第１目標値（Ｉ１１）及び第２目標値（Ｉ１２）のうち、切替後の第２光源部（２２）の状態における出力電流（Ｉ１）の目標値とする。
【０１５９】
第７の態様に係る点灯装置（１）によれば、第２光源部（２２）に過電流が流れることを精度よく抑制できる。
【０１６０】
第８の態様に係る点灯装置（１）は、第１〜７の態様のいずれか１つにおいて、第１バイパススイッチ（Ｑ１１）を更に備える。第１バイパススイッチ（Ｑ１１）は、第１光源部（２１）に電気的に並列接続されている。第１バイパススイッチ（Ｑ１１）は、第２バイパススイッチとは別体である。第２バイパススイッチ（Ｑ１２）は、第２光源部（２２）に電気的に並列接続されている。スイッチ制御部（４２）は、第１バイパススイッチ（Ｑ１１）を制御する。電力変換部（３）は、第１バイパススイッチ（Ｑ１１）のオン／オフの状態に応じて出力電流（Ｉ１）の大きさを切り替えて光源ユニット（１０）に電力を供給する。電力制御部（４１）は、第１光源部（２１）の状態が第１状態から第２状態に切り替えられる場合、スイッチ制御部（４２）が第１バイパススイッチ（Ｑ１１）を制御して第１光源部（２１）を第１状態から第２状態に切り替えた後に、出力電流（Ｉ１）の大きさを切り替える機能を更に有する。第１状態は、第１光源部（２１）が第２光源部（２２）に電気的に接続されており第１光源部（２１）に出力電流（Ｉ１）が流れる状態である。第２状態は、第１光源部（２１）が電気的に短絡されている状態である。
【０１６１】
第８の態様に係る点灯装置（１）によれば、第１光源部（２１）の短絡状態における出力電流（Ｉ１）の目標値が第１光源部（２１）の接続状態における出力電流（Ｉ１）の目標値より大きい場合であっても、出力電流（Ｉ１）の大きさを切り替える前に、第１光源部（２１）を短絡状態にすることができる。その結果、第１光源部（２１）に過電流が流れることを抑制できる。
【０１６２】
第９の態様に係る点灯装置（１）では、第８の態様において、電力制御部（４１）は、第１光源部（２１）が第２状態から第１状態に切り替えられる場合、スイッチ制御部（４２）が第１バイパススイッチ（Ｑ１１）を制御して第１光源部（２１）を第２状態から第１状態に切り替える前に、出力電流（Ｉ１）の大きさを切り替える機能を更に有する。
【０１６３】
第９の態様に係る点灯装置（１）によれば、第１光源部（２１）の短絡状態（第２状態）における出力電流（Ｉ１）の目標値が第１光源部（２１）の接続状態（第１状態）における出力電流（Ｉ１）の目標値よりも大きい場合であっても、第１光源部（２１）に過電流が流れることを抑制できる。
【０１６４】
第１０の態様に係る点灯装置（１）では、第１〜９の態様のいずれか１つにおいて、光源ユニット（１０）は、第１光源部（２１）及び第２光源部（２２）に直列接続された第３光源部（２３）を更に含む。点灯装置（１）は、第３光源部用バイパススイッチ（第３バイパススイッチＱ１３）を更に備える。第３光源部用バイパススイッチは、第３光源部（２３）に電気的に並列接続されている。スイッチ制御部（４２）は、第３光源部用バイパススイッチを制御する。電力変換部（３）は、第３光源部用バイパススイッチのオン／オフの状態に応じて出力電流（Ｉ１）の大きさを切り替えて光源ユニット（１０）に電力を供給する。電力制御部（４１）は、第３光源部（２３）の状態が第３光源部（２３）の接続状態から第３光源部（２３）の短絡状態に切り替えられる場合、スイッチ制御部（４２）が第３光源部用バイパススイッチを制御して第３光源部（２３）を第３光源部（２３）の接続状態から第３光源部（２３）の短絡状態に切り替えた後に、出力電流（Ｉ１）の大きさを切り替える機能を更に有する。第３光源部（２３）の接続状態は、第３光源部（２３）が第１光源部（２１）及び第２光源部（２２）の少なくとも一方に電気的に接続されており第３光源部（２３）に出力電流（Ｉ１）が流れる状態である。第３光源部（２３）の短絡状態は、第３光源部（２３）が電気的に短絡されている状態である。
【０１６５】
第１０の態様に係る点灯装置（１）によれば、光源部２の数が３つ以上である場合であっても、第２光源部（２２）だけでなく、第３光源部（２３）に過電流が流れることを抑制できる。
【０１６６】
第１１の態様に係る点灯装置（１）では、第１０の態様において、電力制御部（４１）は、第３光源部（２３）が第３光源部（２３）の短絡状態から第３光源部（２３）の接続状態に切り替えられる場合、スイッチ制御部（４２）が第３光源部用バイパススイッチ（第３バイパススイッチＱ１３）を制御して第３光源部（２３）を第３光源部（２３）の短絡状態から第３光源部（２３）の接続状態に切り替える前に、出力電流（Ｉ１）の大きさを切り替える機能を更に有する。
【０１６７】
第１１の態様に係る点灯装置（１）によれば、第３光源部（２３）の短絡状態における出力電流（Ｉ１）の目標値が第３光源部（２３）の接続状態における出力電流（Ｉ１）の目標値よりも大きい場合であっても、第３光源部（２３）に過電流が流れることを抑制できる。
【０１６８】
第１２の態様に係る灯具（１００）は、第１〜１１の態様のいずれか１つの点灯装置（１）と、第１光源部（２１）と、第２光源部（２２）と、ハウジング（１０１）とを備える。ハウジング（１０１）は、第１光源部（２１）及び第２光源部（２２）を収納する。
【０１６９】
第１２の態様に係る灯具（１００）によれば、点灯装置（１）において、短絡状態における出力電流（Ｉ１）の第１目標値（Ｉ１１）が接続状態における出力電流（Ｉ１）の第２目標値（Ｉ１２）より大きい場合であっても、出力電流（Ｉ１）の大きさを切り替える前に、第２光源部（２２）を短絡状態にすることができる。その結果、第２光源部（２２）に過電流が流れることを抑制できる。
【０１７０】
第１３の態様に係る車両（２００）は、第１２の態様の灯具（１００）と、車体（２０１）とを備える。車体（２０１）は、灯具（１００）を搭載する。
【０１７１】
第１３の態様に係る車両（２００）によれば、点灯装置（１）において、短絡状態における出力電流（Ｉ１）の第１目標値（Ｉ１１）が接続状態における出力電流（Ｉ１）の第２目標値（Ｉ１２）より大きい場合であっても、出力電流（Ｉ１）の大きさを切り替える前に、第２光源部（２２）を短絡状態にすることができる。その結果、第２光源部（２２）に過電流が流れることを抑制できる。
【０１７２】
第１４の態様に係る制御方法は、電力変換部（３）と、バイパススイッチ（Ｑ１）とを制御する制御方法である。電力変換部（３）は、互いに電気的に直列接続された第１光源部（２１）及び第２光源部（２２）を含む光源ユニット（１０）に出力電流（Ｉ１）を出力して電力を供給する。バイパススイッチ（Ｑ１）は、第２光源部（２２）に電気的に並列接続されている。制御方法は、第２光源部（２２）の状態が接続状態から短絡状態に切り替えられる場合、バイパススイッチ（Ｑ１）を制御して第２光源部（２２）を接続状態から短絡状態に切り替えた後に、出力電流（Ｉ１）の大きさを切り替えるステップを有する。接続状態は、第２光源部（２２）が第１光源部（２１）に電気的に接続されており第２光源部（２２）に出力電流（Ｉ１）が流れる状態である。短絡状態は、第２光源部（２２）が電気的に短絡されている状態である。制御方法は、第２光源部（２２）が短絡状態から接続状態に切り替えられる場合、バイパススイッチ（Ｑ１）を制御して第２光源部（２２）を短絡状態から接続状態に切り替える前に、出力電流（Ｉ１）の大きさを切り替えるステップを有する。
【０１７３】
第１４の態様に係る制御方法によれば、短絡状態における出力電流（Ｉ１）の第１目標値（Ｉ１１）が接続状態における出力電流（Ｉ１）の第２目標値（Ｉ１２）より大きい場合であっても、出力電流（Ｉ１）の大きさを切り替える前に、第２光源部（２２）を短絡状態にすることができる。その結果、第２光源部（２２）に過電流が流れることを抑制できる。
【０１７４】
また、第１４の態様に係る制御方法によれば、短絡状態における出力電流（Ｉ１）の第１目標値（Ｉ１１）が接続状態における出力電流（Ｉ１）の第２目標値（Ｉ１２）よりも大きい場合であっても、第２光源部（２２）に過電流が流れることを抑制できる。
【０１７５】
第１５の態様に係る制御方法では、第１４の態様において、光源ユニット（１０）は、第１光源部（２１）及び第２光源部（２２）に直列接続された第３光源部（２３）を更に含む。制御方法は、第３光源部（２３）の状態が第３光源部（２３）の接続状態から第３光源部（２３）の短絡状態に切り替えられる場合、第３光源部（２３）に電気的に並列接続された第３光源部用バイパススイッチ（第３バイパススイッチＱ１３）を制御して第３光源部（２３）を第３光源部（２３）の接続状態から第３光源部（２３）の短絡状態に切り替えた後に、出力電流（Ｉ１）の大きさを切り替えるステップを更に有する。第３光源部（２３）の接続状態は、第３光源部（２３）が第１光源部（２１）及び第２光源部（２２）の少なくとも一方に電気的に接続されており第３光源部（２３）に出力電流（Ｉ１）が流れる状態である。第３光源部（２３）の短絡状態は、第３光源部（２３）が電気的に短絡されている状態である。制御方法は、第３光源部（２３）が第３光源部（２３）の短絡状態から第３光源部（２３）の接続状態に切り替えられる場合、第３光源部用バイパススイッチを制御して第３光源部（２３）を第３光源部（２３）の短絡状態から第３光源部（２３）の接続状態に切り替える前に、出力電流（Ｉ１）の大きさを切り替えるステップを更に有する。
【０１７６】
第１５の態様に係る制御方法によれば、第３光源部（２３）の短絡状態における出力電流（Ｉ１）の目標値が第３光源部（２３）の接続状態における出力電流（Ｉ１）の目標値よりも大きい場合であっても、第３光源部（２３）に過電流が流れることを抑制できる。
【０１７７】
第１６の態様に係る制御装置（制御部４）は、電力変換部（３）と、バイパススイッチ（Ｑ１）とを制御する。電力変換部（３）は、互いに電気的に直列接続された第１光源部（２１）及び第２光源部（２２）を含む光源ユニット（１０）に出力電流（Ｉ１）を出力して電力を供給する。バイパススイッチ（Ｑ１）は、第２光源部（２２）に電気的に並列接続されている。スイッチ制御部（４２）は、バイパススイッチ（Ｑ１）を制御する。電力制御部（４１）は、電力変換部（３）を制御する。電力制御部（４１）は、第２光源部（２２）の状態が接続状態から短絡状態に切り替えられる場合、スイッチ制御部（４２）がバイパススイッチ（Ｑ１）を制御して第２光源部（２２）を接続状態から短絡状態に切り替えた後に、出力電流（Ｉ１）の大きさを切り替える機能を有する。接続状態は、第２光源部（２２）が第１光源部（２１）に電気的に接続されており第２光源部（２２）に出力電流（Ｉ１）が流れる状態である。短絡状態は、第２光源部（２２）が電気的に短絡されている状態である。電力制御部（４１）は、第２光源部（２２）が短絡状態から接続状態に切り替えられる場合、スイッチ制御部（４２）がバイパススイッチ（Ｑ１）を制御して第２光源部（２２）を短絡状態から接続状態に切り替える前に、出力電流（Ｉ１）の大きさを切り替える機能を有する。
【０１７８】
第１６の態様に係る制御装置（制御部４）によれば、短絡状態における出力電流（Ｉ１）の第１目標値が接続状態における出力電流（Ｉ１）の第２目標値より大きい場合であっても、出力電流（Ｉ１）の大きさを切り替える前に、第２光源部（２２）を短絡状態にすることができる。その結果、第２光源部（２２）に過電流が流れることを抑制できる。
【０１７９】
また、第１６の態様に係る制御装置によれば、短絡状態における出力電流（Ｉ１）の第１目標値（Ｉ１１）が接続状態における出力電流（Ｉ１）の第２目標値（Ｉ１２）よりも大きい場合であっても、第２光源部（２２）に過電流が流れることを抑制できる。
【０１８０】
第１７の態様に係る制御装置（制御部４）では、第１６の態様において、光源ユニット（１０）は、第１光源部（２１）及び第２光源部（２２）に直列接続された第３光源部（２３）を更に含む。スイッチ制御部（４２）は、第３光源部（２３）に電気的に並列接続された第３光源部用バイパススイッチ（第３バイパススイッチＱ１３）を制御する。電力制御部（４１）は、第３光源部（２３）の状態が第３光源部（２３）の接続状態から第３光源部（２３）の短絡状態に切り替えられる場合、スイッチ制御部（４２）が第３光源部用バイパススイッチを制御して第３光源部（２３）を第３光源部（２３）の接続状態から第３光源部（２３）の短絡状態に切り替えた後に、出力電流（Ｉ１）の大きさを切り替える機能を更に有する。第３光源部（２３）の接続状態は、第３光源部（２３）が第１光源部（２１）及び第２光源部（２２）の少なくとも一方に電気的に接続されており第３光源部（２３）に出力電流（Ｉ１）が流れる状態である。第３光源部（２３）の短絡状態は、第３光源部（２３）が電気的に短絡されている状態である。電力制御部（４１）は、第３光源部（２３）が第３光源部（２３）の短絡状態から第３光源部（２３）の接続状態に切り替えられる場合、スイッチ制御部（４２）が第３光源部用バイパススイッチを制御して第３光源部（２３）を第３光源部（２３）の短絡状態から第３光源部（２３）の接続状態に切り替える前に、出力電流（Ｉ１）の大きさを切り替える機能を更に有する。
【０１８１】
第１７の態様に係る制御装置（制御部４）によれば、第３光源部（２３）の短絡状態における出力電流（Ｉ１）の目標値が第３光源部（２３）の接続状態における出力電流（Ｉ１）の目標値よりも大きい場合であっても、第３光源部（２３）に過電流が流れることを抑制できる。
【符号の説明】
【０１８２】
１  点灯装置
２１  第１光源部
２２  第２光源部
２３  第３光源部
３  電力変換部
４  制御部（制御装置）
４１  電力制御部
４２  スイッチ制御部
１０  光源ユニット
１００  灯具
１０１  ハウジング
２００  車両
２０１  車体
Ｑ１  バイパススイッチ
Ｑ１１  第１バイパススイッチ
Ｑ１３  第３バイパススイッチ（第３光源部用バイパススイッチ）
Ｉ１  出力電流
Ｉ１１，Ｉ１４  第１目標値
Ｉ１２，Ｉ１５，Ｉ１６  第２目標値
Ｉ１３  第３目標値
【図１】
2020175072.tif 000003
【図２】
2020175072.tif 000004
【図３】
2020175072.tif 000005
【図４】
2020175072.tif 000006
【図５】
2020175072.tif 000007
【図６】
2020175072.tif 000008
【図７】
2020175072.tif 000009
【図８】
2020175072.tif 000010
【図９】
2020175072.tif 000011
【図１０】
2020175072.tif 000012
【図１１】
2020175072.tif 000013
【図１２】
2020175072.tif 000014
【図１３】
2020175072.tif 000015
【図１４】
2020175072.tif 000016
【図１５】
2020175072.tif 000017
【図１６】
2020175072.tif 000018
【図１７】
2020175072.tif 000019
【図１８】
2020175072.tif 000020
【図１９】
2020175072.tif 000021
【図２０】
2020175072.tif 000022
【図２１】
2020175072.tif 000023
【図２２】
2020175072.tif 000024
【図２３】
2020175072.tif 000025
【図２４】
2020175072.tif 000026
【図２５】
2020175072.tif 000027
【国際調査報告】
2020175072.tif 000028
2020175072.tif 000029
2020175072.tif 000030
2020175072.tif 000031